(57)【要約】【課題】フリッカを軽減することが可能なＬＥＤモジュールを提供する。【解決手段】このＬＥＤモジュールは、交流電源電圧にて直接駆動されるＬＥＤモジュールであって、第１ＬＥＤ群１０と、第１ＬＥＤ群１０と直列接続された第２ＬＥＤ群２０と、第２ＬＥＤ群２０を第１ＬＥＤ群１０よりも先に駆動させるバイパス回路５とを備えている。また、バイパス回路５は、抵抗３０を有しており、これにより、第１ＬＥＤ群１０と並列に抵抗３０が接続された構成となっている。【選択図】図１
2011204437.tif 000002
【特許請求の範囲】
【請求項１】
交流電源電圧にて直接駆動されるＬＥＤモジュールであって、
第１ＬＥＤと、
前記第１ＬＥＤと直列接続された第２ＬＥＤと、
前記第２ＬＥＤを前記第１ＬＥＤよりも先に駆動させるバイパス回路とを備えることを特徴とする、ＬＥＤモジュール。
【請求項２】
前記第１ＬＥＤと並列に接続された抵抗をさらに備えることを特徴とする、請求項１に記載のＬＥＤモジュール。
【請求項３】
ダイオードとコンデンサとが直列接続された第１直列回路をさらに備え、
前記第１直列回路が、前記第１ＬＥＤと並列に接続されていることを特徴とする、請求項１に記載のＬＥＤモジュール。
【請求項４】
ダイオードと抵抗とが直列接続された第２直列回路と、コンデンサとをさらに備え、
前記第２直列回路が、前記第１ＬＥＤと並列に接続されており、
前記コンデンサが、前記第２ＬＥＤと並列に接続されていることを特徴とする、請求項１に記載のＬＥＤモジュール。
【請求項５】
交流電源電圧にて直接駆動されるＬＥＤモジュールであって、
第１ＬＥＤと、
前記第１ＬＥＤと並列接続された第２ＬＥＤとを備え、
前記第２ＬＥＤが、前記第１ＬＥＤよりも順方向電圧が低く設定されていることを特徴とする、ＬＥＤモジュール。
【請求項６】
前記第１ＬＥＤと並列、かつ、前記第２ＬＥＤと直列に接続された抵抗をさらに備えることを特徴とする、請求項５に記載のＬＥＤモジュール。
【請求項７】
ダイオードとコンデンサとが直列接続された第１直列回路をさらに備え、
前記第１直列回路が、前記第２ＬＥＤと直列接続されており、
直列接続された前記第１直列回路および前記第２ＬＥＤが、前記第１ＬＥＤに対して並列接続されていることを特徴とする、請求項５に記載のＬＥＤモジュール。
【請求項８】
前記第１ＬＥＤと並列に接続され、前記抵抗を含む並列回路と、前記並列回路と直列に接続されたスイッチ部とをさらに備えることを特徴とする、請求項２、４および６のいずれか１項に記載のＬＥＤモジュール。
【請求項９】
交番電圧を入力して第１ＬＥＤおよび第２ＬＥＤを駆動するＬＥＤモジュールであって、
前記交番電圧に対し、前記第２ＬＥＤが前記第１ＬＥＤよりも先に駆動し、かつ、後に消灯することを特徴とする、ＬＥＤモジュール。
【請求項１０】
交番電圧を入力して第１ＬＥＤおよび第２ＬＥＤを駆動するＬＥＤモジュールであって、
前記交番電圧に対し、前記第１ＬＥＤおよび前記第２ＬＥＤが同時に点灯し、前記第２ＬＥＤが前記第１ＬＥＤよりも後に消灯することを特徴とする、ＬＥＤモジュール。
【請求項１１】
前記第１ＬＥＤは、複数のＬＥＤを含む第１ＬＥＤ群からなり、
前記第２ＬＥＤは、複数のＬＥＤを含む第２ＬＥＤ群からなることを特徴とする、請求項１〜１０のいずれか１項に記載のＬＥＤモジュール。
【請求項１２】
前記第１ＬＥＤ群および前記第２ＬＥＤ群の少なくとも一方が、１つの発光装置からなることを特徴とする、請求項１１に記載のＬＥＤモジュール。
【請求項１３】
前記第１ＬＥＤ群および前記第２ＬＥＤ群は、それぞれ、白色光を発光する白色ＬＥＤ素子と、赤色光を発光する赤色ＬＥＤ素子とを含むことを特徴とする、請求項１１または１２に記載のＬＥＤモジュール。
【請求項１４】
前記第１ＬＥＤ群は、白色光を発光する白色ＬＥＤ素子と、赤色光を発光する赤色ＬＥＤ素子とからなり、
前記第２ＬＥＤ群は、白色光を発光する白色ＬＥＤ素子からなることを特徴とする、請求項１１または１２に記載のＬＥＤモジュール。
【請求項１５】
前記白色ＬＥＤ素子と前記赤色ＬＥＤ素子とからなる前記第１ＬＥＤ群を有する第１発光装置と、前記白色ＬＥＤ素子からなる前記第２ＬＥＤ群を有する第２発光装置とを備え、
前記第１発光装置が、内側に配置されているとともに、前記第２発光装置が、前記第１発光装置の外側に配置されていることを特徴とする、請求項１４に記載のＬＥＤモジュール。
【請求項１６】
前記白色ＬＥＤ素子が、少なくとも１つのＬＥＤチップと少なくとも１種類の蛍光体とを組み合わせた疑似白色ＬＥＤからなることを特徴とする、請求項１３〜１５のいずれか１項に記載のＬＥＤモジュール。
【請求項１７】
第１ＬＥＤおよび第２ＬＥＤが実装される実装基板をさらに備え、
前記第１ＬＥＤおよび前記第２ＬＥＤの少なくとも一方には、抵抗、ダイオードおよびコンデンサの少なくとも１つを含む電子部品が接続されており、
前記電子部品が、前記実装基板における前記第１ＬＥＤおよび前記第２ＬＥＤが実装されている面と反対側の面に実装されていることを特徴とする、請求項１〜１６のいずれか１項に記載のＬＥＤモジュール。
【請求項１８】
請求項１〜１７のいずれか１項に記載のＬＥＤモジュールを備え、
前記ＬＥＤモジュールが、順方向が逆方向となるように逆並列接続されていることを特徴とする、ＬＥＤ照明装置。
【請求項１９】
白色ＬＥＤ素子および赤色ＬＥＤ素子からなる第１ＬＥＤ素子と、白色ＬＥＤ素子からなる第２ＬＥＤ素子とを備え、
前記第１ＬＥＤ素子が中央部に配置され、前記第１ＬＥＤ素子の周囲に前記第２ＬＥＤ素子が配置されていることを特徴とする、ＬＥＤ照明装置。
【請求項２０】
前記第２ＬＥＤ素子は、前記第１ＬＥＤ素子よりも先に点灯し、前記第１ＬＥＤよりも後に消灯することを特徴とする、請求項１９に記載のＬＥＤ照明装置。
【請求項２１】
請求項１〜１７のいずれか１項に記載のＬＥＤモジュール、および、請求項１８〜２０のいずれか１項に記載のＬＥＤ照明装置の少なくとも一つを用いたことを特徴とする、ＬＥＤ照明システム。
【発明の詳細な説明】
【技術分野】
【０００１】
本発明は、ＬＥＤ（Ｌｉｇｈｔ  Ｅｍｉｔｔｉｎｇ  Ｄｉｏｄｅ）を用いたＬＥＤモジュール、ＬＥＤ照明装置およびＬＥＤ照明システムに関し、特に、交流電圧でダイレクト駆動可能なＬＥＤモジュール、ＬＥＤ照明装置およびＬＥＤ照明システムに関する。
【背景技術】
【０００２】
ＬＥＤは低消費電力で長寿命などの特徴を有しており、照明用や各種工業用など多岐にわたって用いられている。また、近年、ＬＥＤの用途の拡大が進み、蛍光灯や白熱電球の代替照明として、ＬＥＤを用いたＬＥＤ照明の普及が始まった。ＬＥＤは、今後様々な応用商品への展開が期待されている。
【０００３】
ＬＥＤの駆動方式は直流駆動方式が主流であり、交流電源を用いる場合には、交流電圧を直流電圧に変換して駆動されるのが一般的である。
【０００４】
しかしながら、一般的な照明器具は商用ＡＣ１００Ｖ電源を使用することが多く、蛍光灯や白熱電球などの一般的な照明器具に代えてＬＥＤ照明装置を使用する場合などを考慮すると、ＬＥＤ照明装置も一般的な照明器具と同様に商用ＡＣ１００Ｖ電源を使用する構成であることが望ましい。
【０００５】
そこで、上記直流駆動方式とは異なり、交流電圧でダイレクトにＬＥＤを駆動するＬＥＤ照明装置が提案されている。
【０００６】
図６２は、従来の一例によるＬＥＤ照明装置の回路構成を示した図である。図６２を参照して、従来の一例によるＬＥＤ照明装置は、ＡＣプラグ１０１０に入力される商用ＡＣ電圧をダイオードブリッジ１０２０で全波整流した後の脈流電圧にてＬＥＤモジュール１０００を駆動するように構成されている。その他の回路部品は、制限抵抗１０３０、ヒューズ１０４０およびバリスタ１０５０などである。ＬＥＤモジュール１０００は、たとえば国内のＡＣ１００Ｖ電源であれば２０個〜３５個程度のＬＥＤが直列接続される。各ＬＥＤの順方向電圧（ＶF）をたとえば３．４Ｖとすると、３０直列の場合は、ＶF３．４Ｖ×３０＝１０２Ｖとなり、商用ＡＣ電源とほぼ同等となる。
【０００７】
図６３は、図６２に示した従来のＬＥＤモジュールの全点灯時の動作波形例を示した図である。図６２および図６３に示すように、ＬＥＤモジュール１０００には、脈流電圧によるアノード電圧ＶAが印加され、このアノード電圧ＶAによって、電流ＩLEDが流れる。これにより、ＬＥＤモジュールが点灯（発光）する。
【０００８】
なお、交流電圧でダイレクトにＬＥＤを駆動するＬＥＤ照明装置等の他の例として、たとえば、特許文献１〜３に記載のものが知られている。
【先行技術文献】
【特許文献】
【０００９】
【特許文献１】特開２００２−１５６０６号公報
【特許文献２】特開２００７−１２８０８号公報
【特許文献３】特許第４１５６０７２号公報
【発明の概要】
【発明が解決しようとする課題】
【００１０】
図６２に示した従来の一例によるＬＥＤ照明装置において、たとえば、ＬＥＤモジュール１０００が３０直列の場合、ＬＥＤの順電流（ＩF）が流れ始める電圧は６０Ｖ以上からであるため、ＡＣ電圧に対して不点灯時間Ｔ（図６３参照）がある。そのため、交流電源の周期によってフリッカが生じるという問題点がある。
【００１１】
一方、ＬＥＤの接続数を少なくすれば、ＬＥＤの起動が早まり不点灯の領域が少なくなるため、フリッカレベルが向上したり、輝度が向上したりするというメリットが得られる。しかしながら、この場合には、ＬＥＤに過剰な電流が流れるため、直列抵抗や定電流回路などの電流を制限する回路が必要となり、電源効率が低下して発熱が多くなるという不都合がある。これに対し、ＬＥＤの接続数を多くすれば、上記不都合は解消されるものの、フリッカを抑制することが困難となる。
【００１２】
また、近年では、光色が電球色のＬＥＤ照明装置も市販されている。電球色は、やや赤みを帯びた、やわらかく、あたたかみのある光であり、落ち着いた雰囲気を演出する場合などに好適に用いられる。このような電球色を得るためには、通常、専用の蛍光体を用いてＬＥＤ発光装置が作製される。
【００１３】
電球色を得るために、専用の蛍光体を用いてＬＥＤ発光装置を作製した場合、専用の蛍光体によって光束が低下するという不都合が生じる。このため、このような不都合を抑制するために、従来、疑似白色光を発光するＬＥＤ発光装置の中に、赤色光を発光する赤色ＬＥＤを実装することにより、同時に発光することによって電球色を作り出した高演色のＬＥＤ発光装置が知られている（たとえば、ソウル半導体（株）ＡＮ４２４０）。このＬＥＤ発光装置では、専用の蛍光体を用いることなく電球色を得ることができるため、光束の低下が抑制される。
【００１４】
しかしながら、疑似白色ＬＥＤと赤色ＬＥＤとを用いた従来のＬＥＤ発光装置は、全点灯時には高い演色性を示すものの、位相制御式調光器を用いて調光した場合に、演色数値が変化するという不都合がある。特に、低照度時には、赤色光は白色光よりも視感度が高いために赤色が強調されてしまう。このため、演色性が低下するという問題点がある。
【００１５】
この発明は上記のような課題を解決するためになされたものであり、この発明の１つの目的は、電源効率を低下させることなく、フリッカを軽減することが可能なＬＥＤモジュール、ＬＥＤ発光装置およびＬＥＤ照明システムを提供することである。
【００１６】
この発明のもう１つの目的は、高い演色性および高い光束を有するＬＥＤモジュール、ＬＥＤ発光装置およびＬＥＤ照明システムを提供することである。
【課題を解決するための手段】
【００１７】
上記目的を達成するために、この発明の第１の局面によるＬＥＤモジュールは、交流電源電圧にて直接駆動されるＬＥＤモジュールであって、第１ＬＥＤと、第１ＬＥＤと直列接続された第２ＬＥＤと、第２ＬＥＤを第１ＬＥＤよりも先に駆動させるバイパス回路とを備えている。
【００１８】
この第１の局面によるＬＥＤモジュールでは、上記のように、バイパス回路を形成することによって、第１ＬＥＤよりも先に第２ＬＥＤを点灯（駆動）させることができる。また、第１ＬＥＤよりも後に第２ＬＥＤを消灯させることができる。これにより、不点灯の時間を短くすることができるので、フリッカを軽減することができる。また、上記のように構成することによって、直列抵抗や定電流回路などの電流を制限する回路を設けることなくフリッカを軽減することができるので、電源効率が低下するのを抑制することもできる。
【００１９】
なお、フリッカを改善する他の方法として、ＬＥＤに並列に電解コンデンサを接続して平滑する方法も考えられるが、電解コンデンサの寿命（約１０，０００時間）がＬＥＤの寿命（約４０，０００時間）より短いため、長寿命というＬＥＤのメリットを得にくくなる。
【００２０】
また、第１の局面では、たとえば、第１ＬＥＤを疑似白色ＬＥＤと赤色ＬＥＤとから構成し、第２ＬＥＤを疑似白色ＬＥＤから構成することにより、疑似白色ＬＥＤを先に点灯させ、その後、赤色ＬＥＤを点灯させることができる。このため、位相制御式で調光を行い低照度に設定した際に、赤色光の割合を減らす（疑似白色光の割合を増やす）ことができるので、低照度時に赤色が強調されるという不都合を解消することができる。これにより、位相制御式調光器を用いて調光した場合でも、演色数値が変化するのを抑制することができるので、高い演色性を得ることができる。
【００２１】
また、電球色を得る場合に、上記のように、たとえば、第１ＬＥＤを疑似白色ＬＥＤと赤色ＬＥＤとから構成し、第２ＬＥＤを疑似白色ＬＥＤから構成すれば、専用の蛍光体を用いることなく電球色を得ることができる。このため、光束の低下を抑制することができる。したがって、高い演色性と高い光束とを得ることができる。
【００２２】
さらに、第１の局面では、上記のように構成することによって、位相制御式調光器を用いて調光する際に、その調光範囲を広げることができる。白熱電球用に使用されているトライアックを用いた位相制御式の調光器によると、トライアックをスイッチングする位相角を調光ボリュームで変化させて調光を行うが、この調光範囲を広げることにより、調光ボリュームに対応した調光を滑らかにすることができる。
【００２３】
上記第１の局面によるＬＥＤモジュールにおいて、好ましくは、第１ＬＥＤと並列に接続された抵抗をさらに備えている。このように構成すれば、第２ＬＥＤの順電流（ＩF）が流れ始める開始電圧を下げることができるので、容易に、第２ＬＥＤを第１ＬＥＤよりも先に駆動させることができる。これにより、不点灯の時間を短くして、フリッカを軽減することができる。なお、フリッカレベルと電源効率とはトレードオフの関係にあるが、フリッカを重視する用途の方が多いため、フリッカを軽減できる技術は有用な技術であるといえる。
【００２４】
上記第１の局面によるＬＥＤモジュールにおいて、ダイオードとコンデンサとが直列接続された第１直列回路をさらに備え、この第１直列回路が、第１ＬＥＤと並列に接続された構成とすることもできる。上記コンデンサは、電解コンデンサ以外のたとえばフィルムコンデンサやセラミックコンデンサを用いるのが好ましい。このように構成すれば、第２ＬＥＤの順電流（ＩF）が流れ始める開始電圧を下げることができるとともに、第２ＬＥＤを平滑することができるので、不点灯の時間をより短くすることができる。これにより、フリッカをより効果的に軽減することができる。なお、上記コンデンサは、直列接続されたＬＥＤ（第１ＬＥＤおよび第２ＬＥＤ）の一部（第２ＬＥＤ）を平滑するため、比較的低い耐圧のコンデンサを用いることができるというメリットもある。
【００２５】
上記第１の局面によるＬＥＤモジュールにおいて、ダイオードと抵抗とが直列接続された第２直列回路と、コンデンサとをさらに備え、この第２直列回路が、第１ＬＥＤと並列に接続され、コンデンサが、第２ＬＥＤと並列に接続された構成であってもよい。このように構成すれば、不点灯の時間をさらに短くすることができるので、フリッカをさらに効果的に軽減することができる。
【００２６】
この発明の第２の局面によるＬＥＤモジュールは、交流電源電圧にて直接駆動されるＬＥＤモジュールであって、第１ＬＥＤと、この第１ＬＥＤと並列接続された第２ＬＥＤとを備えている。そして、第２ＬＥＤが、第１ＬＥＤよりも順方向電圧（ＶF）が低く設定されている。
【００２７】
この第２の局面によるＬＥＤモジュールでは、上記のように、第１ＬＥＤと第２ＬＥＤとを並列接続し、第２ＬＥＤを、第１ＬＥＤよりも順方向電圧（ＶF）が低くなるように設定することによって、第１ＬＥＤよりも先に第２ＬＥＤを点灯（駆動）させることができる。また、第１ＬＥＤよりも後に第２ＬＥＤを消灯させることができる。これにより、不点灯の時間を短くすることができるので、フリッカを軽減することができる。
【００２８】
また、第２の局面では、上記のように構成することによって、上記第１の局面と同様、電源効率が低下するのを抑制することができるとともに、高い演色性および高い光束を得ることができる。また、位相制御式の調光器を用いて調光する際に、調光範囲を広げて、調光ボリュームに対応した調光を滑らかにすることができる。
【００２９】
上記第２の局面によるＬＥＤモジュールにおいて、第１ＬＥＤと並列、かつ、第２ＬＥＤと直列に接続された抵抗をさらに備えているのが好ましい。
【００３０】
上記第２の局面によるＬＥＤモジュールにおいて、ダイオードとコンデンサとが直列接続された第１直列回路をさらに備え、第１直列回路が、第２ＬＥＤと直列接続されており、直列接続された第１直列回路および第２ＬＥＤが、第１ＬＥＤに対して並列接続された構成とすることもできる。
【００３１】
上記第１および第２の局面によるＬＥＤモジュールにおいて、好ましくは、第１ＬＥＤと並列に接続され、抵抗を含む並列回路と、この並列回路と直列に接続されたスイッチ部とをさらに備える。このように構成すれば、たとえば、第２ＬＥＤが駆動するまではスイッチ部をオン状態にすることにより、第２ＬＥＤを第１ＬＥＤよりも先に駆動させることができる。また、たとえば、第１ＬＥＤが駆動した後は、スイッチ部をオフ状態にすることにより、抵抗に電流が流れないようにすることができる。これにより、抵抗による発熱損失を低減することができる。
【００３２】
この発明の第３の局面によるＬＥＤモジュールは、交番電圧を入力して第１ＬＥＤおよび第２ＬＥＤを駆動するＬＥＤモジュールであって、交番電圧に対し、第２ＬＥＤが第１ＬＥＤよりも先に駆動し、かつ、後に消灯する。
【００３３】
この第３の局面によるＬＥＤモジュールでは、上記のように構成することによって、不点灯の時間を短くすることができるので、フリッカを軽減することができる。
【００３４】
この発明の第４の局面によるＬＥＤモジュールは、交番電圧を入力して第１ＬＥＤおよび第２ＬＥＤを駆動するＬＥＤモジュールであって、交番電圧に対し、第１ＬＥＤおよび第２ＬＥＤが同時に点灯し、第２ＬＥＤが第１ＬＥＤよりも後に消灯する。
【００３５】
この第４の局面によるＬＥＤモジュールでは、上記のように構成することによって、位相制御式で調光を行い低照度に設定した際に、高い演色性を得ることができる。具体的には、たとえば、第１ＬＥＤを疑似白色ＬＥＤと赤色ＬＥＤとから構成し、第２ＬＥＤを疑似白色ＬＥＤから構成した場合に、低照度時に赤色が強調されるという不都合を解消することができる。
【００３６】
上記第１〜第４の局面によるＬＥＤモジュールにおいて、第１ＬＥＤは、複数のＬＥＤを含む第１ＬＥＤ群から構成されており、第２ＬＥＤは、複数のＬＥＤを含む第２ＬＥＤ群から構成されているのが好ましい。
【００３７】
上記第１ＬＥＤ群および第２ＬＥＤ群を含む構成において、好ましくは、第１ＬＥＤ群および第２ＬＥＤ群の少なくとも一方が、１つの発光装置からなる。このように構成すれば、容易に、ＬＥＤモジュールの小型化を図ることができる。
【００３８】
上記第１ＬＥＤ群および第２ＬＥＤ群を含む構成において、第１ＬＥＤ群および第２ＬＥＤ群は、それぞれ、白色光を発光する白色ＬＥＤ素子と、赤色光を発光する赤色ＬＥＤ素子とを含むように構成することができる。なお、本発明において、ＬＥＤ素子は、半導体チップ（ＬＥＤチップ）と、半導体チップを樹脂封止した発光装置とを含む。
【００３９】
上記第１ＬＥＤ群および第２ＬＥＤ群を含む構成において、第１ＬＥＤ群は、白色光を発光する白色ＬＥＤ素子と、赤色光を発光する赤色ＬＥＤ素子とからなり、第２ＬＥＤ群は、白色光を発光する白色ＬＥＤ素子からなるように構成することもできる。
【００４０】
この場合において、白色ＬＥＤ素子と赤色ＬＥＤ素子とからなる第１ＬＥＤ群を有する第１発光装置と、白色ＬＥＤ素子からなる第２ＬＥＤ群を有する第２発光装置とを備え、第１発光装置が、内側に配置されているとともに、第２発光装置が、第１発光装置の外側に配置されているのが好ましい。このように構成すれば、位相制御式で調光を行い低照度に設定した際に、赤色が強調されてしまうのをより効果的に抑制することができる。
【００４１】
上記白色ＬＥＤ素子を備えた構成において、上記白色ＬＥＤ素子が、少なくとも１つのＬＥＤチップと少なくとも１種類の蛍光体とを組み合わせた疑似白色ＬＥＤから構成されているのが好ましい。なお、上記白色ＬＥＤ素子は、光の３原色であるＲ（赤）、Ｇ（緑）、Ｂ（青）の光を発光する各ＬＥＤチップを内蔵する白色ＬＥＤ（発光装置）であってもよい。
【００４２】
上記第１〜第４の局面によるＬＥＤモジュールにおいて、好ましくは、第１ＬＥＤおよび第２ＬＥＤが実装される実装基板をさらに備え、第１ＬＥＤおよび第２ＬＥＤの少なくとも一方には、抵抗、ダイオードおよびコンデンサの少なくとも１つを含む電子部品が接続されており、電子部品が、実装基板における第１ＬＥＤおよび第２ＬＥＤが実装されている面と反対側の面に実装されている。このように構成すれば、ＬＥＤからの光を均一に取り出すことができる。
【００４３】
この発明の第５の局面によるＬＥＤ照明装置は、上記第１〜第４の局面によるＬＥＤモジュールを備え、上記ＬＥＤモジュールが、順方向が逆方向となるように逆並列接続されたＬＥＤ照明装置である。
【００４４】
この発明の第６の局面によるＬＥＤ照明装置は、白色ＬＥＤ素子および赤色ＬＥＤ素子からなる第１ＬＥＤ素子と、白色ＬＥＤ素子からなる第２ＬＥＤ素子とを備え、第１ＬＥＤ素子が中央部に配置され、第１ＬＥＤ素子の周囲に第２ＬＥＤ素子が配置されている。
【００４５】
この第６の局面によるＬＥＤ照明装置では、上記のように、第１ＬＥＤ素子を中央部に配置し、第１ＬＥＤ素子の周囲に第２ＬＥＤ素子を配置することによって、位相制御式で調光を行い低照度に設定した際に、赤色が強調されてしまうのをより効果的に抑制することができる。
【００４６】
上記第６の局面によるＬＥＤ照明装置において、第２ＬＥＤ素子は、第１ＬＥＤ素子よりも先に点灯し、第１ＬＥＤよりも後に消灯するように構成されているのが好ましい。
【００４７】
この発明の第７の局面によるＬＥＤ照明システムは、上記第１〜第４の局面によるＬＥＤモジュール、並びに、上記第５および第６の局面によるＬＥＤ照明装置の少なくとも１つを用いたＬＥＤ照明システムである。
【発明の効果】
【００４８】
以上のように、本発明によれば、電源効率を低下させることなく、フリッカを軽減することが可能なＬＥＤモジュール、ＬＥＤ発光装置およびＬＥＤ照明システムを容易に得ることができる。
【００４９】
また、本発明によれば、高い演色性および高い光束を有するＬＥＤモジュール、ＬＥＤ発光装置およびＬＥＤ照明システムを容易に得ることができる。
【図面の簡単な説明】
【００５０】
【図１】本発明の第１実施形態によるＬＥＤモジュールの構成を示した回路図である。
【図２】本発明の第１実施形態によるＬＥＤモジュールのＶ−Ｉ特性を示した図である。
【図３】本発明の第１実施形態によるＬＥＤモジュールの電流波形例を示した図である。
【図４】本発明の第１実施形態によるＬＥＤモジュールを白熱電球用の位相制御式調光器で調光した場合の調光カーブを示した図である。
【図５】本発明の第１実施形態によるＬＥＤモジュールを白熱電球用の位相制御式調光器で調光した場合の電流波形例を示した図である。
【図６】第１実施形態の第１変形例によるＬＥＤモジュールの構成を示した回路図である。
【図７】第１実施形態の第２変形例によるＬＥＤモジュールの構成を示した回路図である。
【図８】第１実施形態の第３変形例によるＬＥＤモジュールの構成を示した回路図である。
【図９】本発明の第２実施形態によるＬＥＤモジュールの構成を示した回路図である。
【図１０】本発明の第２実施形態によるＬＥＤモジュールのＶ−Ｉ特性を示した図である。
【図１１】本発明の第２実施形態によるＬＥＤモジュールの電流波形例を示した図である。
【図１２】本発明の第２実施形態によるＬＥＤモジュールを白熱電球用の位相制御式調光器で調光した場合の調光カーブを示した図である。
【図１３】第２実施形態の変形例によるＬＥＤモジュールの構成を示した回路図である。
【図１４】本発明の第３実施形態によるＬＥＤモジュールの構成を示した回路図である。
【図１５】本発明の第３実施形態によるＬＥＤモジュールのＶ−Ｉ特性を示した図である。
【図１６】本発明の第３実施形態によるＬＥＤモジュールの電流波形例を示した図である。
【図１７】本発明の第３実施形態によるＬＥＤモジュールを白熱電球用の位相制御式調光器で調光した場合の調光カーブを示した図である。
【図１８】第３実施形態の変形例によるＬＥＤモジュールの構成を示した回路図である。
【図１９】本発明の第４実施形態によるＬＥＤモジュールの構成を示した回路図である。
【図２０】本発明の第４実施形態によるＬＥＤモジュールのＶ−Ｉ特性を示した図である。
【図２１】本発明の第４実施形態によるＬＥＤモジュールの電流波形例を示した図である。
【図２２】本発明の第４実施形態によるＬＥＤモジュールを白熱電球用の位相制御式調光器で調光した場合の調光カーブを示した図である。
【図２３】第４実施形態の第１変形例によるＬＥＤモジュールの構成を示した回路図である。
【図２４】第４実施形態の第２変形例によるＬＥＤモジュールの構成を示した回路図である。
【図２５】第４実施形態の第３変形例によるＬＥＤモジュールの構成を示した回路図である。
【図２６】本発明の第５実施形態によるＬＥＤモジュールの構成を示した回路図である。
【図２７】本発明の第５実施形態によるＬＥＤモジュールのＶ−Ｉ特性を示した図である。
【図２８】本発明の第５実施形態によるＬＥＤモジュールの電流波形例を示した図である。
【図２９】本発明の第５実施形態によるＬＥＤモジュールを白熱電球用の位相制御式調光器で調光した場合の調光カーブを示した図である。
【図３０】本発明の第６実施形態によるＬＥＤモジュールの構成を示した回路図である。
【図３１】本発明の第６実施形態によるＬＥＤモジュールのＶ−Ｉ特性を示した図である。
【図３２】本発明の第６実施形態によるＬＥＤモジュールの電流波形例を示した図である。
【図３３】本発明の第６実施形態によるＬＥＤモジュールを白熱電球用の位相制御式調光器で調光した場合の調光カーブを示した図である。
【図３４】第６実施形態の変形例によるＬＥＤモジュールの構成を示した回路図である。
【図３５】本発明の第７実施形態によるＬＥＤモジュールの構成を示した回路図である。
【図３６】本発明の第７実施形態によるＬＥＤモジュールのＶ−Ｉ特性を示した図である。
【図３７】本発明の第７実施形態によるＬＥＤモジュールの電流波形例を示した図である。
【図３８】本発明の第７実施形態によるＬＥＤモジュールを白熱電球用の位相制御式調光器で調光した場合の調光カーブを示した図である。
【図３９】本発明の第７実施形態によるＬＥＤモジュールを白熱電球用の位相制御式調光器で調光した場合の電流波形例を示した図である。
【図４０】第７実施形態の第１変形例によるＬＥＤモジュールの構成を示した回路図である。
【図４１】第７実施形態の第２変形例によるＬＥＤモジュールの構成を示した回路図である。
【図４２】第７実施形態の第３変形例によるＬＥＤモジュールの構成を示した回路図である。
【図４３】本発明の第８実施形態によるＬＥＤモジュールの構成を示した回路図である。
【図４４】本発明の第８実施形態によるＬＥＤモジュールのＶ−Ｉ特性を示した図である。
【図４５】本発明の第８実施形態によるＬＥＤモジュールの電流波形例を示した図である。
【図４６】本発明の第８実施形態によるＬＥＤモジュールを白熱電球用の位相制御式調光器で調光した場合の調光カーブを示した図である。
【図４７】本発明の第９実施形態によるＬＥＤモジュールの構成を示した回路図である。
【図４８】本発明の第９実施形態によるＬＥＤモジュールのＶ−Ｉ特性を示した図である。
【図４９】本発明の第９実施形態によるＬＥＤモジュールの電流波形例を示した図である。
【図５０】本発明の第９実施形態によるＬＥＤモジュールを白熱電球用の位相制御式調光器で調光した場合の調光カーブを示した図である。
【図５１】第９実施形態の変形例によるＬＥＤモジュールの構成を示した回路図である。
【図５２】本発明の第１０実施形態によるＬＥＤモジュール（電球型ＬＥＤランプに用いるＬＥＤモジュール）の構成を示した平面図である。
【図５３】本発明の第１０実施形態によるＬＥＤモジュールの構成を示した回路図である。
【図５４】第１０実施形態の第１変形例によるＬＥＤモジュール（電球型ＬＥＤランプに用いるＬＥＤモジュール）の構成を示した平面図である。
【図５５】第１０実施形態の第１変形例によるＬＥＤモジュールの構成を示した回路図である。
【図５６】第１０実施形態の第２変形例によるＬＥＤモジュール（電球型ＬＥＤランプに用いるＬＥＤモジュール）の構成を示した平面図である。
【図５７】第１０実施形態の第２変形例によるＬＥＤモジュールの構成を示した回路図である。
【図５８】本発明の第１１実施形態によるＬＥＤモジュールの構成を示した側面図である。
【図５９】本発明の第１２実施形態によるＬＥＤ照明装置の構成を示した回路図である。
【図６０】本発明の第１３実施形態によるＬＥＤ照明装置の構成を示した図である。
【図６１】本発明の第１４実施形態によるＬＥＤ照明システムの構成を示した図である。
【図６２】従来の一例によるＬＥＤ照明装置の回路構成を示した図である。
【図６３】図６２に示した従来のＬＥＤモジュールの全点灯時の動作波形例を示した図である。
【発明を実施するための形態】
【００５１】
以下、本発明を具体化した実施形態を図面に基づいて詳細に説明する。
【００５２】
（第１実施形態）
図１は、本発明の第１実施形態によるＬＥＤモジュールの構成を示した回路図である。図２は、本発明の第１実施形態によるＬＥＤモジュールのＶ−Ｉ特性を示した図である。図３は、本発明の第１実施形態によるＬＥＤモジュールの電流波形例を示した図である。まず、図１〜図３を参照して、本発明の第１実施形態によるＬＥＤモジュールの構成について説明する。
【００５３】
第１実施形態によるＬＥＤモジュールは、交流電源電圧でダイレクト駆動可能なＬＥＤモジュールであり、図１に示すように、複数のＬＥＤが直列に接続された構成を有している。このＬＥＤモジュールは、ＡＣライン電源を、トランスを介さずに全波整流電圧を直接印加するため、ＡＣライン電圧とほぼ同等の順方向電圧（ＶF）となるように直列段数が決められている。たとえば、ＬＥＤ１つ当たりのＶFが３．４Ｖの場合、ＬＥＤを３０段直列に接続して１０２Ｖとすることができる。
【００５４】
上記複数のＬＥＤは、互いに直列接続された、第１ＬＥＤ群１０と第２ＬＥＤ群２０とに分かれている。第１ＬＥＤ群１０は、先頭のＬＥＤから途中のＬＥＤまでの前段のＬＤＥ（たとえば、３０段直列の場合は１５個のＬＥＤ）から構成されており、第２ＬＥＤ群２０は、その後段のＬＥＤ（たとえば、３０段直列の場合には残りの１５個のＬＥＤ）から構成されている。なお、第１ＬＥＤ群１０および第２ＬＥＤ群２０は、それぞれ、本発明の「第１ＬＥＤ」および「第２ＬＥＤ」の一例である。
【００５５】
ここで、第１実施形態では、先頭のＬＥＤのアノード部から一部の前段のＬＥＤ（第１ＬＥＤ群１０）と並列にバイパス回路５が形成されており、このバイパス回路５に抵抗３０が接続されている。すなわち、第１ＬＥＤ群１０と並列に抵抗３０が接続されている。
【００５６】
このように構成された第１実施形態によるＬＥＤモジュールでは、ＡＣ電圧を全波整流した脈流電圧（交番電圧）を印加すると、図１〜図３に示すように、まずは抵抗３０をバイパスした電流が後段のＬＥＤ（第２ＬＥＤ群２０）を起動させる（図１の矢印Ｐ）。そして、第２ＬＥＤ群２０の順方向電圧ＶF（図２のａ点）を超えた電圧で第２ＬＥＤ群２０に電流が流れ始める。その後、ＬＥＤモジュールのアノード電圧が上昇して、印可電圧が第１ＬＥＤ群１０の順方向電圧ＶF（図２のｂ点）を超えると第１ＬＥＤ群１０にも電流が流れ（図１の矢印Ｑ）、全点灯のためのＬＥＤ電流が流れる。
【００５７】
すなわち、第１ＬＥＤ群１０と並列に抵抗３０を接続することにより、第２ＬＥＤ群２０の順電流ＩFが流れ始める開始電圧が下げられ、第２ＬＥＤ群２０の起動が早まる。また、第２ＬＥＤ群２０の順電流ＩFが流れ始める開始電圧が下がるため、第２ＬＥＤ群２０は、第１ＬＥＤ群１０よりも後に消灯する。したがって、図３に示すように、従来のＬＥＤモジュールでは不点灯となる印可電圧が低いときに、第２ＬＥＤ群２０が点灯される（図３のＲ１、Ｓ１部分）。これにより、ＡＣ電圧に対する不点灯時間Ｔを短くすることが可能となる。なお、図３は、ＡＣ電圧を全波整流した脈流電圧（アノード電圧ＶA）を印可した際のＬＥＤモジュールに流れる電流ＩLEDの波形を示している。
【００５８】
図４は、本発明の第１実施形態によるＬＥＤモジュールを白熱電球用の位相制御式調光器で調光した場合の調光カーブを示した図である。図４において、縦軸はＬＥＤモジュールの相対輝度（％）を示しており、横軸は調光時におけるトライアック式調光器の位相角を示している。なお、図４には、第１実施形態による調光カーブＡ（実線）とともに、比較例として、図６２に示した従来のＬＥＤ照明装置（ＬＥＤモジュール）を位相制御式調光器で調光した場合の調光カーブＢ（破線）も示している。
【００５９】
第１実施形態によるＬＥＤモジュールは、既設の白熱電球用の調光器（位相制御式調光器）を用いて調光することが可能である。位相制御式調光器は、調光器のつまみを変化させることによりスイッチング素子であるトライアックのトリガ位相角を変化させて電力（この場合は輝度）を調整するものであり、もともとリニアリティに優れた調光カーブを持つ。
【００６０】
また、第１実施形態によるＬＥＤモジュールでは、第２ＬＥＤ群２０の順電流ＩFが流れ始める開始電圧が下がるため、図４に示すように、その調光カーブＡの調光範囲Ｌが、比較例による調光カーブＢの調光範囲Ｍに比べて広くなる。このため、第１実施形態では、調光ボリュームに対応した調光を滑らかにすることができる。
【００６１】
図５は、本発明の第１実施形態によるＬＥＤモジュールを白熱電球用の位相制御式調光器で調光した場合の電流波形例を示した図である。なお、図５には、一例として、５０％点灯時および１０％点灯時の波形が示されている。
【００６２】
図５に示すように、第１実施形態によるＬＥＤモジュールを、調光器を用いて調光した場合、調光器からのトリガ信号により第１ＬＥＤ群１０と第２ＬＥＤ群２０とが同時に点灯する一方、上述のように、第２ＬＥＤ群２０は第１ＬＥＤ群１０よりも後に消灯する。なお、図５のＳ１部分では、第２ＬＥＤ群２０のみが点灯している。また、１００％点灯の場合は、上記と同様、第２ＬＥＤ群２０は、第１ＬＥＤ群１０よりも先に点灯し、かつ、後に消灯する。
【００６３】
第１実施形態では、上記のように、第１ＬＥＤ群１０と並列に抵抗３０を接続することによって、不点灯時間Ｔを短くすることができるので、視覚的に気にならない程度にまでフリッカを軽減することができる。なお、商業周波数のＡＣライン電圧を全波整流したＬＥＤ駆動電圧の周波数は１００／１２０Ｈｚであるため、人間の視覚でフリッカが認知できる周波数（一般に７０Ｈｚ以下と言われている）からすれば認知できないレベルである。ただし、不点灯時間が長いと照度の明暗が明らかになるため、フリッカが認知され易くなる。このため、上記のように、不点灯時間をできるだけ短くして、照度の高低差を小さくする必要がある。また、フリッカレベルと電源効率とはトレードオフの関係にあるが、フリッカが重視される場合が多いため、フリッカを軽減することができる技術は有用な技術であるといえる。
【００６４】
また、フリッカを改善する他の方法として、ＬＥＤに並列に電解コンデンサを接続して平滑する方法も考えられるが、電解コンデンサの寿命（約１０，０００時間）がＬＥＤの寿命（約４０，０００時間）より短いため、長寿命というＬＥＤのメリットを得にくくなる。一方、第１実施形態によるＬＥＤモジュールでは、電解コンデンサを用いることなくフリッカを軽減することができるので、ＬＥＤモジュールの寿命が短くなるのを抑制することができる。
【００６５】
なお、ＬＥＤモジュールを構成するＬＥＤには、たとえば、現在市販されているＡＣ専用のＬＥＤ素子を用いることができる。
【００６６】
また、１つの半導体基板上に複数のＬＥＤセルをアレイ状に形成したＬＥＤアレイ（複数のＬＥＤセルが直列接続されたＬＥＤ）を用いることもできる。このようなＬＥＤを用いれば、たとえば、第１ＬＥＤ群１０および第２ＬＥＤ群２０の少なくとも一方を、１つのＬＥＤ素子（ＬＥＤ発光装置）から構成することができる（１デバイス化することができる）ので、ＬＥＤモジュールの小型化を図ることができる。そして、小型化されたＬＥＤモジュールを用いることにより、ハロゲンランプやミニクリプトン球の代替用途（口金サイズＥ−１７、Ｅ−１１）としてのＬＥＤランプを容易に作製することができる。なお、このようなＬＥＤとしては、たとえば、ソウル半導体（株）製のＡＮ４２４０を用いることができる。
【００６７】
また、サイズが許容されるのであれば、表面実装型のＬＥＤ発光装置（ＬＥＤチップを樹脂封止した半導体デバイス）をライン状に並べたＬＥＤモジュールとしてもよい。
【００６８】
［第１実施形態の第１変形例］
図６は、第１実施形態の第１変形例によるＬＥＤモジュールの構成を示した回路図である。次に、図６を参照して、第１実施形態の第１変形例によるＬＥＤモジュールについて説明する。
【００６９】
第１実施形態の第１変形例によるＬＥＤモジュールは、複数のＬＥＤが直列接続された第１ＬＥＤ群１０ａと、同じく複数のＬＥＤが直列接続された第２ＬＥＤ群２０ａとを有しており、第２ＬＥＤ群２０ａが第１ＬＥＤ群１０ａと並列接続されている。また、第１変形例によるＬＥＤモジュールでは、第１ＬＥＤ群１０ａと並列、かつ、第２ＬＥＤ群２０ａと直列に、抵抗３０が接続されている。なお、第１ＬＥＤ群１０ａおよび第２ＬＥＤ群２０ａは、それぞれ、本発明の「第１ＬＥＤ」および「第２ＬＥＤ」の一例である。
【００７０】
また、第１ＬＥＤ群１０ａおよび第２ＬＥＤ群２０ａは、ＡＣライン電源を、トランスを介さずに全波整流電圧を直接印加することが可能となるように、その直列段数が決められている。また、第１変形例のＬＥＤモジュールでは、第２ＬＥＤ群２０ａの順方向電圧ＶFが、第１ＬＥＤ群１０ａの順方向電圧ＶFよりも低く設定されている。
【００７１】
このように構成された第１変形例によるＬＥＤモジュールでは、ＡＣ電圧を全波整流した脈流電圧を印加すると、第２ＬＥＤ群２０ａの順方向電圧ＶFを超えた電圧で第２ＬＥＤ群２０ａに電流が流れ始める。その後、ＬＥＤモジュールのアノード電圧が上昇して、印可電圧が第１ＬＥＤ群１０ａの順方向電圧ＶFを超えると第１ＬＥＤ群１０ａにも電流が流れ、全点灯のためのＬＥＤ電流が流れる。したがって、上記第１実施形態と同様、ＡＣ電圧に対する不点灯時間Ｔを短くすることができるので、視覚的に気にならない程度にまでフリッカを軽減することができる。
【００７２】
また、第１実施形態と同様、既設の白熱電球用の調光器（位相制御式調光器）を用いて調光した際に、その調光範囲を広くすることができる。このため、調光ボリュームに対応した調光を滑らかにすることができる。
【００７３】
なお、上記第１実施形態と同様、ＬＥＤモジュールを構成するＬＥＤには、たとえば、現在市販されているＡＣ専用のＬＥＤ素子を用いることができる。
【００７４】
また、１つの半導体基板上に複数のＬＥＤセルをアレイ状に形成したＬＥＤアレイ（複数のＬＥＤセルが直列接続されたＬＥＤ）を用いることもできる。このようなＬＥＤを用いれば、たとえば、第１ＬＥＤ群１０および第２ＬＥＤ群２０の少なくとも一方を、１つのＬＥＤ素子（ＬＥＤ発光装置）から構成することができる（１デバイス化することができる）ので、ＬＥＤモジュールの小型化を図ることができる。そして、小型化されたＬＥＤモジュールを用いることにより、ハロゲンランプやミニクリプトン球の代替用途（口金サイズＥ−１７、Ｅ−１１）としてのＬＥＤランプを容易に作製することができる。なお、このようなＬＥＤとしては、たとえば、ソウル半導体（株）製のＡＮ４２４０を用いることができる。
【００７５】
また、サイズが許容されるのであれば、表面実装型のＬＥＤ発光装置（ＬＥＤチップを樹脂封止した半導体デバイス）をライン状に並べたＬＥＤモジュールとしてもよい。
【００７６】
［第１実施形態の第２変形例］
図７は、第１実施形態の第２変形例によるＬＥＤモジュールの構成を示した回路図である。次に、図７を参照して、第１実施形態の第２変形例によるＬＥＤモジュールについて説明する。
【００７７】
この第１実施形態の第２変形例によるＬＥＤモジュールでは、上記第１実施形態の構成において、バイパス回路５（並列回路）と直列にスイッチ部６が接続されている。すなわち、バイパス回路５の抵抗３０と直列にスイッチ部６が接続されている。このスイッチ部６は、抵抗３０に流れる電流をオン／オフする機能を有する。
【００７８】
スイッチ部６は、たとえば、第１ＬＥＤ群１０に順電流ＩFが流れるまではオン状態、第１ＬＥＤ群１０に順電流ＩFが流れるとオフ状態となるようにオン／オフ制御される。これにより、全点灯時に、抵抗３０に電流が流れるのを抑制することができるので、抵抗３０による発熱損失を低減することができる。
【００７９】
［第１実施形態の第３変形例］
図８は、第１実施形態の第３変形例によるＬＥＤモジュールの構成を示した回路図である。次に、図８を参照して、第１実施形態の第３変形例によるＬＥＤモジュールについて説明する。
【００８０】
この第１実施形態の第３変形例によるＬＥＤモジュールでは、上記第１変形例の構成において、第１ＬＥＤ群１０ａと並列にスイッチ部６が接続されている。具体的には、第３変形例では、第１ＬＥＤ群１０ａと並列に、第２ＬＥＤ群２０ａおよび抵抗３０を含む並列回路が接続されており、この並列回路と直列に上記スイッチ部６が接続されている。このスイッチ部６は、上記第２変形例と同様、抵抗３０に流れる電流をオン／オフする機能を有する。
【００８１】
スイッチ部６は、たとえば、第１ＬＥＤ群１０ａが点灯するまではオン状態、第１ＬＥＤ群１０ａが点灯した後はオフ状態となるようにオン／オフ制御される。これにより、第１ＬＥＤ群１０ａの点灯時に、抵抗３０に電流が流れるのを抑制することができるので、抵抗３０による発熱損失を低減することができる。
【００８２】
（第２実施形態）
図９は、本発明の第２実施形態によるＬＥＤモジュールの構成を示した回路図であり、図１０は、本発明の第２実施形態によるＬＥＤモジュールのＶ−Ｉ特性を示した図である。図１１は、本発明の第２実施形態によるＬＥＤモジュールの電流波形例を示した図であり、図１２は、本発明の第２実施形態によるＬＥＤモジュールを白熱電球用の位相制御式調光器で調光した場合の調光カーブを示した図である。図１２には、第２実施形態による調光カーブＡ（実線）とともに、比較例として、図６２に示した従来のＬＥＤ照明装置（ＬＥＤモジュール）を位相制御式調光器で調光した場合の調光カーブＢ（破線）も示している。次に、図９〜図１２を参照して、本発明の第２実施形態によるＬＥＤモジュールについて説明する。なお、各図において、対応する構成要素には同一の符号を付すことにより、重複する説明は省略する。
【００８３】
この第２実施形態によるＬＥＤモジュールは、上記第１実施形態とは異なり、バイパス回路５に、コンデンサ４０が接続されている。また、バイパス回路５には、コンデンサ４０とともに、逆流防止用のダイオード５０が接続されている。すなわち、第２実施形態では、第１ＬＥＤ群１０と第２ＬＥＤ群２０とが直列接続されたＬＥＤモジュールにおいて、コンデンサ４０とダイオード５０とが直列接続された直列回路を備えており、この直列回路（第１直列回路）が第１ＬＥＤ群１０と並列に接続された構成となっている。
【００８４】
なお、上記コンデンサ４０には、電解コンデンサ以外のコンデンサ（たとえば、フィルムコンデンサやセラミックコンデンサなど）を用いるのが好ましい。高耐圧で高容量のフィルムコンデンサやセラミックコンデンサは高価であるが、上記のように、一部のＬＥＤにのみコンデンサを並列接続することによりコスト上昇を抑制することが可能となる。
【００８５】
第２実施形態のその他の構成は、上記第１実施形態と同様である。
【００８６】
第２実施形態によるＬＥＤモジュールでは、ＡＣ電圧を全波整流した脈流電圧を印加すると、図９〜図１１に示すように、まずはコンデンサ４０をバイパスした電流が第２ＬＥＤ群２０を起動させる（図９の矢印Ｐ）。そして、第２ＬＥＤ群２０の順方向電圧ＶF（図１０のａ点）を超えた電圧で第２ＬＥＤ群２０に電流が流れ始める。その後、ＬＥＤモジュールのアノード電圧が上昇して、印可電圧が第１ＬＥＤ群１０の順方向電圧ＶF（図１０のｂ点）を超えると第１ＬＥＤ群１０にも電流が流れ（図９の矢印Ｑ）、全点灯のためのＬＥＤ電流が流れる。
【００８７】
ＬＥＤモジュールのアノード電圧がピーク電圧に達した後、アノード電圧が降下して印可電圧が第１ＬＥＤ群１０の順方向電圧ＶFを下回ると、第１ＬＥＤ群１０が消灯し、その後、第２ＬＥＤ群２０が消灯する。この際、コンデンサ４０の放電によりＬＥＤ電流が持続するため、ＬＥＤモジュールの点灯時間が長くなる。
【００８８】
すなわち、第１ＬＥＤ群１０と並列にコンデンサ４０を接続することによって、図１１に示すように、第２ＬＥＤ群２０の順電流ＩFが流れ始める開始電圧が下げられて、第２ＬＥＤ群２０の起動が早まる（図１１のＲ２部分）とともに、コンデンサ４０の放電によりＬＥＤ電流が持続する（図１１のＳ２部分）ため、不点灯時間Ｔをより短くすることが可能となる。
【００８９】
また、第２実施形態では、図１２に示すように、ＬＥＤモジュールを白熱電球用の位相制御式調光器で調光した場合、上記第１実施形態と同様、その調光範囲Ｌを、比較例による調光範囲Ｍに比べて広げることができる。このため、第２実施形態でも、調光ボリュームに対応した調光を滑らかにすることができる。
【００９０】
第２実施形態では、上記のように、第１ＬＥＤ群１０と並列にコンデンサ４０を接続することによって、第２ＬＥＤ群２０の順電流（ＩF）が流れ始める開始電圧を下げることができるとともに、第２ＬＥＤ群２０を平滑することができるので、不点灯時間Ｔをより短くすることができる。これにより、フリッカをより効果的に軽減することができる。また、上記コンデンサ４０は、直列接続された第２ＬＥＤ群を平滑するため、比較的低い耐圧のコンデンサを用いることができるというメリットも得られる。
【００９１】
なお、コンデンサ４０の容量が大き過ぎると、フリッカレベルのより一層の改善が可能となるが、ゼロクロスしないことにより調光時にオフ（消灯）しない不具合が生じる。このため、調光器を用いて調光を行う場合には、上記不具合が生じない容量のコンデンサを用いるのが好ましい。
【００９２】
第２実施形態のその他の効果は、上記第１実施形態と同様である。
【００９３】
［第２実施形態の変形例］
図１３は、第２実施形態の変形例によるＬＥＤモジュールの構成を示した回路図である。次に、図６および図１３を参照して、第２実施形態の変形例によるＬＥＤモジュールについて説明する。
【００９４】
第２実施形態の変形例によるＬＥＤモジュールでは、上記第１実施形態の第１変形例によるＬＥＤモジュールの構成において、抵抗３０（図６参照）に代えて、コンデンサ４０とダイオード５０とが接続されている。すなわち、第２実施形態の変形例では、第１ＬＥＤ群１０ａと第２ＬＥＤ群２０ａとが並列接続されたＬＥＤモジュールにおいて、コンデンサ４０とダイオード５０とが直列接続された直列回路（第１直列回路）を備えており、この直列回路が第２ＬＥＤ群２０ａと直列接続されているとともに、直列接続された直列回路および第２ＬＥＤ群２０ａが第１ＬＥＤ群１０ａに対して並列接続されている。なお、直列回路のダイオード５０は、逆流防止用である。
【００９５】
このように構成することによっても、上記第２実施形態と同様、フリッカを効果的に軽減することができる。また、白熱電球用の位相制御式調光器で調光した場合に、調光ボリュームに対応した調光を滑らかにすることができる。
【００９６】
（第３実施形態）
図１４は、本発明の第３実施形態によるＬＥＤモジュールの構成を示した回路図であり、図１５は、本発明の第３実施形態によるＬＥＤモジュールのＶ−Ｉ特性を示した図である。図１６は、本発明の第３実施形態によるＬＥＤモジュールの電流波形例を示した図であり、図１７は、本発明の第３実施形態によるＬＥＤモジュールを白熱電球用の位相制御式調光器で調光した場合の調光カーブを示した図である。図１２には、第３実施形態による調光カーブＡ（実線）とともに、比較例として、図６２に示した従来のＬＥＤ照明装置（ＬＥＤモジュール）を位相制御式調光器で調光した場合の調光カーブＢ（破線）も示している。次に、図１４〜図１７を参照して、本発明の第３実施形態によるＬＥＤモジュールについて説明する。なお、各図において、対応する構成要素には同一の符号を付すことにより、重複する説明は省略する。
【００９７】
この第３実施形態によるＬＥＤモジュールは、上記第１および第２実施形態と同様、第１ＬＥＤ群１０と第２ＬＥＤ群２０とが直列接続された構造を有している。また、第３実施形態では、抵抗３０とダイオード５０とが直列接続された直列回路（第２直列回路）が第１ＬＥＤ群１０と並列に接続されており、コンデンサ４５が第２ＬＥＤ群２０と並列に接続されている。すなわち、第３実施形態によるＬＥＤモジュールは、上記第１実施形態の構成に加えて、第２ＬＥＤ群２０と並列に平滑用のコンデンサ４５が接続された構成となっている。
【００９８】
また、上記コンデンサ４５には、電解コンデンサ以外のコンデンサ（たとえば、フィルムコンデンサやセラミックコンデンサなど）を用いるのが好ましい。高耐圧で高容量のフィルムコンデンサやセラミックコンデンサは高価であるが、上記のように、一部のＬＥＤにのみコンデンサを並列接続することによりコスト上昇を抑制することが可能となる。
【００９９】
第３実施形態のその他の構成は、上記第１実施形態と同様である。
【０１００】
このように構成された第３実施形態によるＬＥＤモジュールでは、ＡＣ電圧を全波整流した脈流電圧を印加すると、図１４〜図１６に示すように、まずは抵抗３０をバイパスした電流が第２ＬＥＤ群２０を起動させる。そして、第２ＬＥＤ群２０の順方向電圧ＶF（図１５のａ点）を超えた電圧で第２ＬＥＤ群２０に電流が流れ始める。その後、ＬＥＤモジュールのアノード電圧が上昇して、印可電圧が第１ＬＥＤ群１０の順方向電圧ＶF（図１５のｂ点）を超えると第１ＬＥＤ群１０にも電流が流れ、全点灯のためのＬＥＤ電流が流れる。
【０１０１】
ＬＥＤモジュールのアノード電圧がピーク電圧に達した後、アノード電圧が降下して印可電圧が第１ＬＥＤ群１０の順方向電圧ＶFを下回ると、第１ＬＥＤ群１０が消灯し、その後、第２ＬＥＤ群２０が消灯する。この際、コンデンサ４５の放電によりＬＥＤ電流が持続するため、ＬＥＤモジュールの点灯時間が長くなる。
【０１０２】
すなわち、第１ＬＥＤ群１０と並列に抵抗３０を接続することによって、図１６に示すように、第２ＬＥＤ群２０の順電流ＩFが流れ始める開始電圧が下げられて、第２ＬＥＤ群２０の起動が早まる（図１１のＲ３部分）。また、第２ＬＥＤ群２０と並列にコンデンサ４５を接続することによって、コンデンサ４５の放電によりＬＥＤ電流が持続する（図１１のＳ３部分）。なお、第３実施形態では、上記第１実施形態の効果と第２実施形態の効果とを併せた効果が得られるため、不点灯時間Ｔをさらに短くすることが可能となる。
【０１０３】
また、第３実施形態では、図１７に示すように、ＬＥＤモジュールを白熱電球用の位相制御式調光器で調光した場合、上記第１および第２実施形態と同様、その調光範囲Ｌを、比較例による調光範囲Ｍに比べて広げることができる。このため、この第３実施形態でも、調光ボリュームに対応した調光を滑らかにすることができる。
【０１０４】
第３実施形態では、上記のように、第１ＬＥＤ群１０と並列に抵抗３０を接続するとともに、第２ＬＥＤ群２０と並列にコンデンサ４５を接続することによって、上記第１および第２実施形態に比べて、不点灯時間をさらに短くすることができる。これにより、フリッカをさらに効果的に軽減することができる。
【０１０５】
［第３実施形態の変形例］
図１８は、第３実施形態の変形例によるＬＥＤモジュールの構成を示した回路図である。次に、図１８を参照して、第３実施形態の変形例によるＬＥＤモジュールについて説明する。
【０１０６】
この第３実施形態の変形例によるＬＥＤモジュールでは、上記第３実施形態の構成において、抵抗３０と直列にスイッチ部６が接続されている。このスイッチ部６は、たとえば、第１ＬＥＤ群１０に順電流ＩFが流れるまではオン状態、第１ＬＥＤ群１０に順電流ＩFが流れるとオフ状態となるようにオン／オフ制御される。これにより、全点灯時に、抵抗３０に電流が流れるのを抑制することができるので、抵抗３０による発熱損失を低減することができる。
【０１０７】
（第４実施形態）
図１９は、本発明の第４実施形態によるＬＥＤモジュールの構成を示した回路図である。図２０は、本発明の第４実施形態によるＬＥＤモジュールのＶ−Ｉ特性を示した図である。図２１は、本発明の第４実施形態によるＬＥＤモジュールの電流波形例を示した図である。次に、図１９〜図２１を参照して、本発明の第４実施形態によるＬＥＤモジュールについて説明する。なお、各図において、対応する構成要素には同一の符号を付すことにより、重複する説明は省略する。
【０１０８】
この第４実施形態によるＬＥＤモジュールでは、図１９に示すように、上記第１実施形態の構成において、第１ＬＥＤ群１０および第２ＬＥＤ群２０が、それぞれ、複数のＬＥＤを直列接続した状態で１パッケージ化されたＬＥＤ発光装置（表面実装型ＬＥＤ）１１０および１２０からなり、疑似白色光を発光する疑似白色ＬＥＤチップ１３０（青色ＬＥＤを使用して蛍光体で疑似白色光を発光可能にしたもの）と赤色光を発光する赤色ＬＥＤチップ１４０とを有するＬＥＤ集合チップ１５０を含む。
【０１０９】
具体的には、このＬＥＤ発光装置１１０および１２０は、それぞれ、１チップ上に複数のＬＥＤセルをアレイ状に予め直列配列したＬＥＤ素子（ＬＥＤ集合チップ）を有している。また、ＬＥＤ素子の中には、青色ＬＥＤチップを使用して蛍光体で疑似白色光を発光可能にしたものと、赤色光を発光する赤色ＬＥＤチップとが混成されており、同時に発光して演色性の高い電球色を作り出す。
【０１１０】
より具体的には、ＬＥＤ発光装置１１０および１２０は、青色光を発光する窒化物系ＬＥＤと、赤色光を発光する赤色ＬＥＤとが封止樹脂で封止された構成を有している。封止樹脂には、窒化物系ＬＥＤからの青色光を波長変換する蛍光体（たとえば、ＹＡＧ蛍光体）が分散されており、窒化物系ＬＥＤからの青色光と、蛍光体で波長変換された黄色光との混色により、疑似白色光を発光するとともに、同時に赤色ＬＥＤから赤色光が発光される。そして、疑似白色光と赤色光との混色により、演色性の高い電球色を発光可能に構成されている。また、封止樹脂で封止されるＬＥＤチップは、１つの基板上に、疑似白色光を発光する疑似白色ＬＥＤと、赤色光を発光する赤色ＬＥＤとを混成して予め直列配列したＬＥＤ集合チップ（ＬＥＤアレイチップ）からなる。このＬＥＤ集合チップの順方向電圧ＶFは、たとえば、５０Ｖとなる。
【０１１１】
なお、このようなＬＥＤ発光装置としては、ＡＣ専用のＬＥＤ素子（たとえば、ソウル半導体（株）製のＡＮ４２４０）を用いることができる。
【０１１２】
このように構成された第４実施形態によるＬＥＤモジュールでは、上記第１実施形態と同様、ＡＣ電圧を全波整流した脈流電圧を印加すると、図１９〜図２１に示すように、まずは抵抗３０をバイパスした電流が第２ＬＥＤ群２０（ＬＥＤ発光装置１２０）を起動させる。そして、第２ＬＥＤ群２０（ＬＥＤ発光装置１２０）の順方向電圧ＶF（図２０のａ点）を超えた電圧で第２ＬＥＤ群２０（ＬＥＤ発光装置１２０）に電流が流れ始める。その後、ＬＥＤモジュールのアノード電圧が上昇して、印可電圧が第１ＬＥＤ群１０（ＬＥＤ発光装置１１０）の順方向電圧ＶF（図２０のｂ点）を超えると第１ＬＥＤ群１０（ＬＥＤ発光装置１１０）にも電流が流れ、全点灯のためのＬＥＤ電流が流れる。
【０１１３】
すなわち、第１ＬＥＤ群１０（ＬＥＤ発光装置１１０）と並列に抵抗３０を接続することにより、第２ＬＥＤ群２０（ＬＥＤ発光装置１２０）の順電流ＩFが流れ始める開始電圧が下げられ、第２ＬＥＤ群２０（ＬＥＤ発光装置１２０）の起動が早まる。また、第２ＬＥＤ群２０（ＬＥＤ発光装置１２０）の順電流ＩFが流れ始める開始電圧が下がるため、第２ＬＥＤ群２０（ＬＥＤ発光装置１２０）は、第１ＬＥＤ群１０（ＬＥＤ発光装置１２０）よりも後に消灯する。したがって、図２１に示すように、従来のＬＥＤモジュールでは不点灯となる印可電圧が低いときに、第２ＬＥＤ群２０（ＬＥＤ発光装置１２０）が点灯される（図２１のＲ４、Ｓ４部分）。これにより、ＡＣ電圧に対する不点灯時間Ｔを短くすることが可能となり、フリッカを効果的に軽減することができる。
【０１１４】
また、第４実施形態では、疑似白色ＬＥＤチップ１３０と赤色光を発光する赤色ＬＥＤチップ１４０とを有するＬＥＤ集合チップ（ＬＥＤ発光装置）を用いることによって、専用の蛍光体を用いることなく電球色を得ることができるので、専用の蛍光体を用いることに起因して、光束が低下するという不都合が生じるのを抑制することができる。
【０１１５】
図２２は、本発明の第４実施形態によるＬＥＤモジュールを白熱電球用の位相制御式調光器で調光した場合の調光カーブを示した図である。なお、図２２には、疑似白色ＬＥＤの調光カーブＣが実線で示されており、高演色化のための赤色ＬＥＤの調光カーブＤが破線で示されている。
【０１１６】
図２２に示すように、ＬＥＤモジュールを白熱電球用の位相制御式調光器で調光した場合、第４実施形態においても、その調光範囲Ｌを広げることができ、調光ボリュームに対応した調光を滑らかにすることができる。ただし、この第４実施形態では、特に低照度に設定した場合に、赤色が強調されてしまい、演色数値が変化する。具体的には、赤色光は白色光よりも視感度が高いため、低照度に設定したときに、赤色ＬＥＤチップの粒が見える。
【０１１７】
［第４実施形態の第１変形例］
図２３は、第４実施形態の第１変形例によるＬＥＤモジュールの構成を示した回路図である。次に、図２３を参照して、第４実施形態の第１変形例によるＬＥＤモジュールについて説明する。
【０１１８】
第４実施形態の第１変形例によるＬＥＤモジュールでは、上記第１実施形態の第１変形例の構成において、第１ＬＥＤ群１０ａおよび第２ＬＥＤ群２０ａが、それぞれ、複数のＬＥＤが直列接続された状態で１パッケージ化されたＬＥＤ発光装置１１０ａおよび１２０ａからなる。このＬＥＤ発光装置１１０ａおよび１２０ａは、上記第４実施形態と同様、疑似白色光を発光する疑似白色ＬＥＤチップ１３０と赤色光を発光する赤色ＬＥＤチップ１４０とを有するＬＥＤ集合チップ１５０を含んで構成されている。
【０１１９】
第４実施形態による第１変形例では、上記のように構成することによって、視覚的に気にならない程度にまでフリッカが軽減された、高演色で高い光束を有する、電球色を発光可能なＬＥＤモジュールを得ることができる。
【０１２０】
［第４実施形態の第２変形例］
図２４は、第４実施形態の第２変形例によるＬＥＤモジュールの構成を示した回路図である。次に、図２４を参照して、第４実施形態の第２変形例によるＬＥＤモジュールについて説明する。
【０１２１】
この第４実施形態の第２変形例によるＬＥＤモジュールでは、上記第４実施形態の構成において、バイパス回路５（並列回路）と直列にスイッチ部６が接続されている。すなわち、バイパス回路５の抵抗３０と直列にスイッチ部６が接続されている。このスイッチ部６は、抵抗３０に流れる電流をオン／オフする機能を有する。
【０１２２】
スイッチ部６は、たとえば、第１ＬＥＤ群１０（ＬＥＤ発光装置１１０）に順電流ＩFが流れるまではオン状態、第１ＬＥＤ群１０（ＬＥＤ発光装置１１０）に順電流ＩFが流れるとオフ状態となるようにオン／オフ制御される。これにより、全点灯時に、抵抗３０に電流が流れるのを抑制することができるので、抵抗３０による発熱損失を低減することができる。
【０１２３】
［第４実施形態の第３変形例］
図２５は、第４実施形態の第３変形例によるＬＥＤモジュールの構成を示した回路図である。次に、図２５を参照して、第４実施形態の第３変形例によるＬＥＤモジュールについて説明する。
【０１２４】
この第４実施形態の第３変形例によるＬＥＤモジュールでは、上記第４実施形態の第１変形例の構成において、第１ＬＥＤ群１０ａ（ＬＥＤ発光装置１１０ａ）と並列にスイッチ部６が接続されている。具体的には、第３変形例では、第１ＬＥＤ群１０ａ（ＬＥＤ発光装置１１０ａ）と並列に、第２ＬＥＤ群２０ａおよび抵抗３０を含む並列回路が接続されており、この並列回路と直列に上記スイッチ部６が接続されている。このスイッチ部６は、上記第２変形例と同様、抵抗３０に流れる電流をオン／オフする機能を有する。
【０１２５】
スイッチ部６は、たとえば、第１ＬＥＤ群１０ａ（ＬＥＤ発光装置１１０ａ）が点灯するまではオン状態、第１ＬＥＤ群１０ａ（ＬＥＤ発光装置１１０ａ）が点灯した後はオフ状態となるようにオン／オフ制御される。これにより、第１ＬＥＤ群１０ａ（ＬＥＤ発光装置１１０ａ）の点灯時に、抵抗３０に電流が流れるのを抑制することができるので、抵抗３０による発熱損失を低減することができる。
【０１２６】
（第５実施形態）
図２６は、本発明の第５実施形態によるＬＥＤモジュールの構成を示した回路図である。図２７は、本発明の第５実施形態によるＬＥＤモジュールのＶ−Ｉ特性を示した図である。図２８は、本発明の第５実施形態によるＬＥＤモジュールの電流波形例を示した図である。次に、図２６〜図２８を参照して、本発明の第５実施形態によるＬＥＤモジュールについて説明する。なお、各図において、対応する構成要素には同一の符号を付すことにより、重複する説明は省略する。
【０１２７】
この第５実施形態によるＬＥＤモジュールは、図２６に示すように、上記第２実施形態の構成において、第１ＬＥＤ群１０および第２ＬＥＤ群２０が、それぞれ、複数のＬＥＤが直列接続された状態で１パッケージ化されたＬＥＤ発光装置１１０および１２０からなる。すなわち、この第５実施形態では、上記第２実施形態の構成において、第１ＬＥＤ群１０および第２ＬＥＤ群２０が、上記第４実施形態で示したＬＥＤ発光装置と同様の発光装置１１０および１２０からなり、電球色を発光可能に構成されている。
【０１２８】
第５実施形態によるＬＥＤモジュールでは、ＡＣ電圧を全波整流した脈流電圧を印加すると、図２６〜図２８に示すように、まずはコンデンサ４０をバイパスした電流が第２ＬＥＤ群２０（ＬＥＤ発光装置１２０）を起動させる。そして、第２ＬＥＤ群２０（ＬＥＤ発光装置１２０）の順方向電圧ＶF（図２７のａ点）を超えた電圧で第２ＬＥＤ群２０（ＬＥＤ発光装置１２０）に電流が流れ始める。その後、ＬＥＤモジュールのアノード電圧が上昇して、印可電圧が第１ＬＥＤ群１０（ＬＥＤ発光装置１１０）の順方向電圧ＶF（図２７のｂ点）を超えると第１ＬＥＤ群１０（ＬＥＤ発光装置１１０）にも電流が流れ、全点灯のためのＬＥＤ電流が流れる。
【０１２９】
ＬＥＤモジュールのアノード電圧がピーク電圧に達した後、アノード電圧が降下して印可電圧が第１ＬＥＤ群１０（ＬＥＤ発光装置１１０）の順方向電圧ＶFを下回ると、第１ＬＥＤ群１０（ＬＥＤ発光装置１１０）が消灯し、その後、第２ＬＥＤ群２０（ＬＥＤ発光装置１２０）が消灯する。この際、コンデンサ４０の放電によりＬＥＤ電流が持続するため、ＬＥＤモジュールの点灯時間が長くなる。
【０１３０】
すなわち、第１ＬＥＤ群１０（ＬＥＤ発光装置１１０）と並列にコンデンサ４０を接続することによって、図２８に示すように、第２ＬＥＤ群２０（ＬＥＤ発光装置１２０）に順電流ＩFが流れ始める開始電圧が下げられて、第２ＬＥＤ群２０（ＬＥＤ発光装置１２０）の起動が早まる（図２８のＲ５部分）とともに、コンデンサ４０の放電によりＬＥＤ電流が持続する（図２８のＳ５部分）ため、不点灯時間Ｔをより短くすることが可能となる。これにより、フリッカをより効果的に軽減することができる。
【０１３１】
図２９は、本発明の第５実施形態によるＬＥＤモジュールを白熱電球用の位相制御式調光器で調光した場合の調光カーブを示した図である。なお、図２９には、疑似白色ＬＥＤの調光カーブＣが実線で示されており、高演色化のための赤色ＬＥＤの調光カーブＤが破線で示されている。
【０１３２】
図２９に示すように、ＬＥＤモジュールを白熱電球用の位相制御式調光器で調光した場合、第５実施形態においても、その調光範囲Ｌを広げることができ、調光ボリュームに対応した調光を滑らかにすることができる。ただし、この第５実施形態では、特に低照度に設定した場合に、赤色が強調されてしまい、演色数値が変化する。具体的には、赤色光は白色光よりも視感度が高いため、低照度に設定したときに、赤色ＬＥＤチップの粒が見える。
【０１３３】
（第６実施形態）
図３０は、本発明の第６実施形態によるＬＥＤモジュールの構成を示した回路図である。図３１は、本発明の第６実施形態によるＬＥＤモジュールのＶ−Ｉ特性を示した図である。図３２は、本発明の第６実施形態によるＬＥＤモジュールの電流波形例を示した図である。次に、図３０〜図３２を参照して、本発明の第６実施形態によるＬＥＤモジュールについて説明する。なお、各図において、対応する構成要素には同一の符号を付すことにより、重複する説明は省略する。
【０１３４】
この第６実施形態によるＬＥＤモジュールは、図３０に示すように、上記第３実施形態の構成において、第１ＬＥＤ群１０および第２ＬＥＤ群２０が、それぞれ、複数のＬＥＤが直列接続された状態で１パッケージ化されたＬＥＤ発光装置１１０および１２０からなる。すなわち、この第６実施形態では、上記第３実施形態の構成において、第１ＬＥＤ群１０および第２ＬＥＤ群２０が、電球色を発光可能な上記第４実施形態で示したＬＥＤ発光装置と同様の発光装置１１０および１２０からなる。
【０１３５】
第６実施形態によるＬＥＤモジュールでは、ＡＣ電圧を全波整流した脈流電圧を印加すると、図３０〜図３２に示すように、まずは抵抗３０をバイパスした電流が第２ＬＥＤ群２０（ＬＥＤ発光装置１２０）を起動させる。そして、第２ＬＥＤ群２０（ＬＥＤ発光装置１２０）の順方向電圧ＶF（図３１のａ点）を超えた電圧で第２ＬＥＤ群２０（ＬＥＤ発光装置１２０）に電流が流れ始める。その後、ＬＥＤモジュールのアノード電圧が上昇して、印可電圧が第１ＬＥＤ群１０（ＬＥＤ発光装置１１０）の順方向電圧ＶF（図３１のｂ点）を超えると第１ＬＥＤ群１０（ＬＥＤ発光装置１１０）にも電流が流れ、全点灯のためのＬＥＤ電流が流れる。
【０１３６】
ＬＥＤモジュールのアノード電圧がピーク電圧に達した後、アノード電圧が降下して印可電圧が第１ＬＥＤ群１０（ＬＥＤ発光装置１１０）の順方向電圧ＶFを下回ると、第１ＬＥＤ群１０（ＬＥＤ発光装置１１０）が消灯し、その後、第２ＬＥＤ群２０（ＬＥＤ発光装置１２０）が消灯する。この際、コンデンサ４５の放電によりＬＥＤ電流が持続するため、ＬＥＤモジュールの点灯時間が長くなる。
【０１３７】
すなわち、第１ＬＥＤ群１０（ＬＥＤ発光装置１１０）と並列に抵抗３０を接続することによって、図３２に示すように、第２ＬＥＤ群２０（ＬＥＤ発光装置１２０）の順電流ＩFが流れ始める開始電圧が下げられて、第２ＬＥＤ群２０（ＬＥＤ発光装置１２０）の起動が早まる（図３２のＲ６部分）。また、第２ＬＥＤ群２０（ＬＥＤ発光装置１２０）と並列にコンデンサ４５を接続することによって、コンデンサ４５の放電によりＬＥＤ電流が持続する（図３２のＳ６部分）。このため、不点灯時間Ｔをさらに短くすることが可能となり、フリッカをさらに効果的に軽減することができる。
【０１３８】
図３３は、本発明の第６実施形態によるＬＥＤモジュールを白熱電球用の位相制御式調光器で調光した場合の調光カーブを示した図である。なお、図３３には、疑似白色ＬＥＤの調光カーブＣが実線で示されており、高演色化のための赤色ＬＥＤの調光カーブＤが破線で示されている。
【０１３９】
図３３に示すように、ＬＥＤモジュールを白熱電球用の位相制御式調光器で調光した場合、第６実施形態においても、その調光範囲Ｌを広げることができ、調光ボリュームに対応した調光を滑らかにすることができる。ただし、この第６実施形態では、特に低照度に設定した場合に、赤色が強調されてしまい、演色数値が変化する。具体的には、赤色光は白色光よりも視感度が高いため、低照度に設定したときに、赤色ＬＥＤチップの粒が見える。
【０１４０】
［第６実施形態の変形例］
図３４は、第６実施形態の変形例によるＬＥＤモジュールの構成を示した回路図である。次に、図３４を参照して、第６実施形態の変形例によるＬＥＤモジュールについて説明する。
【０１４１】
この第６実施形態の変形例によるＬＥＤモジュールでは、上記第６実施形態の構成において、抵抗３０と直列にスイッチ部６が接続されている。このスイッチ部６は、たとえば、第１ＬＥＤ群１０（ＬＥＤ発光装置１１０）に順電流ＩFが流れるまではオン状態、第１ＬＥＤ群１０（ＬＥＤ発光装置１１０）に順電流ＩFが流れるとオフ状態となるようにオン／オフ制御される。これにより、全点灯時に、抵抗３０に電流が流れるのを抑制することができるので、抵抗３０による発熱損失を低減することができる。
【０１４２】
（第７実施形態）
図３５は、本発明の第７実施形態によるＬＥＤモジュールの構成を示した回路図である。図３６は、本発明の第７実施形態によるＬＥＤモジュールのＶ−Ｉ特性を示した図である。図３７は、本発明の第７実施形態によるＬＥＤモジュールの電流波形例を示した図である。次に、図３５〜図３７を参照して、本発明の第７実施形態によるＬＥＤモジュールについて説明する。なお、各図において、対応する構成要素には同一の符号を付すことにより、重複する説明は省略する。
【０１４３】
この第７実施形態によるＬＥＤモジュールでは、図３５に示すように、上記第１実施形態の構成において、第１ＬＥＤ群１０が、疑似白色ＬＥＤチップ１３０（青色ＬＥＤを使用して蛍光体で疑似白色光を発光可能にしたもの）と赤色光を発光する赤色ＬＥＤチップ１４０とを有するＬＥＤ発光装置２１０からなり、第２ＬＥＤ群２０が、疑似白色ＬＥＤチップ１３０のみを有し、赤色ＬＥＤチップ１４０を有さないＬＥＤ発光装置２２０からなる。すなわち、第７実施形態では、第１ＬＥＤ群１０が、赤色光と疑似白色光との混色光を発光する高演色のＬＥＤ発光装置２１０からなり、第２ＬＥＤ群２０が、疑似白色光を発光するＬＥＤ発光装置２２０からなる。
【０１４４】
なお、ＬＥＤ発光装置２２０は、１つの基板上に、疑似白色光を発光する複数の疑似白色ＬＥＤが予めアレイ状に直列配列されたＬＥＤ集合チップを含んで構成されている。また、上記ＬＥＤ発光装置２１０は、第４実施形態で示したＬＥＤ発光装置と同様の発光装置から構成されていてもよいが、赤色の配合バランスを予め考慮して作製した（赤色ＬＥＤチップ１４０の数を調整した）ＬＥＤ集合チップ２５０を備えた発光装置から構成されていればより好ましい。このようなＬＥＤ発光装置２１０および２２０としては、現在市販されているＡＣ専用のＬＥＤ素子を用いることができる。
【０１４５】
第７実施形態によるＬＥＤモジュールでは、ＡＣ電圧を全波整流した脈流電圧を印加すると、図３５〜図３７に示すように、まずは抵抗３０をバイパスした電流が第２ＬＥＤ群２０（ＬＥＤ発光装置２２０）を起動させる。そして、第２ＬＥＤ群２０（ＬＥＤ発光装置２２０）の順方向電圧ＶF（図３６のａ点）を超えた電圧で第２ＬＥＤ群２０（ＬＥＤ発光装置２２０）に電流が流れ始め、疑似白色光を発光するＬＥＤ発光装置２２０が点灯する。その後、ＬＥＤモジュールのアノード電圧が上昇して、印可電圧が第１ＬＥＤ群１０（ＬＥＤ発光装置２１０）の順方向電圧ＶF（図３６のｂ点）を超えると第１ＬＥＤ群１０（ＬＥＤ発光装置２１０）にも電流が流れ、全点灯のためのＬＥＤ電流が流れる。これにより、疑似白色光を発光するＬＥＤ発光装置２２０とともに、高演色のＬＥＤ発光装置２１０が点灯する。
【０１４６】
ＬＥＤモジュールのアノード電圧がピーク電圧に達した後、アノード電圧が降下して印可電圧が第１ＬＥＤ群１０（ＬＥＤ発光装置２１０）の順方向電圧ＶFを下回ると、第１ＬＥＤ群１０（ＬＥＤ発光装置２１０）が消灯し、その後、疑似白色光を発光する第２ＬＥＤ群２０（ＬＥＤ発光装置２２０）が消灯する。
【０１４７】
すなわち、第１ＬＥＤ群１０（ＬＥＤ発光装置２１０）と並列に抵抗３０を接続することによって、図３７に示すように、疑似白色光を発光する第２ＬＥＤ群２０（ＬＥＤ発光装置２２０）の順電流ＩFが流れ始める開始電圧が下げられて、第２ＬＥＤ群２０（ＬＥＤ発光装置２２０）の起動が早まる（図３７のＲ７部分）。また、第２ＬＥＤ群２０（ＬＥＤ発光装置２２０）の順電流ＩFが流れ始める開始電圧が下がるため、第２ＬＥＤ群２０（ＬＥＤ発光装置２２０）は、第１ＬＥＤ群１０（ＬＥＤ発光装置２１０）よりも後に消灯する（図３７のＳ７部分）。このため、不点灯時間Ｔを短くすることが可能となり、フリッカを効果的に軽減することができる。
【０１４８】
図３８は、本発明の第７実施形態によるＬＥＤモジュールを白熱電球用の位相制御式調光器で調光した場合の調光カーブを示した図である。なお、図３８には、疑似白色ＬＥＤの調光カーブＣが実線で示されており、高演色化のための赤色ＬＥＤの調光カーブＤが破線で示されている。
【０１４９】
図３８に示すように、ＬＥＤモジュールを白熱電球用の位相制御式調光器で調光した場合、第７実施形態においても、その調光範囲Ｌを広げることができ、調光ボリュームに対応した調光を滑らかにすることができる。
【０１５０】
また、第７実施形態では、上述したように、疑似白色光を発光する第２ＬＥＤ群２０（ＬＥＤ発光装置２２０）の順電流ＩFが流れ始める開始電圧を下げて、第２ＬＥＤ群２０（ＬＥＤ発光装置２２０）の起動を早めることができる。このため、調光器のボリューム０から順に上げていく場合、白が先に点灯しその後に赤が点灯する。また、ボリューム１００％から下げていく場合は赤が先に消灯しその後に白が消灯する。そのため、低照度に設定した際に、赤色光の割合を減らす（白色光の割合を増やす）ことができるので、赤色が強調されてしまうという不都合を解消することができる。
【０１５１】
図３９は、本発明の第７実施形態によるＬＥＤモジュールを白熱電球用の位相制御式調光器で調光した場合の電流波形例を示した図である。なお、図３９には、一例として、５０％点灯時および１０％点灯時の波形が示されている。
【０１５２】
図３９に示すように、第７実施形態によるＬＥＤモジュールを、調光器を用いて調光した場合、調光器からのトリガ信号により第１ＬＥＤ群１０（ＬＥＤ発光装置２１０）と第２ＬＥＤ群２０（ＬＥＤ発光装置２２０）とが同時に点灯する一方、上述のように、第２ＬＥＤ群２０（ＬＥＤ発光装置２２０）は第１ＬＥＤ群１０（ＬＥＤ発光装置２１０）よりも後に消灯する。なお、図３９のＳ７部分では、疑似白色光を発光する第２ＬＥＤ群２０（ＬＥＤ発光装置２２０）のみが点灯している。また、１００％点灯の場合は、上記と同様、第２ＬＥＤ群２０（ＬＥＤ発光装置２２０）は、第１ＬＥＤ群１０（ＬＥＤ発光装置２１０）よりも先に点灯し、かつ、後に消灯する。
【０１５３】
［第７実施形態の第１変形例］
図４０は、第７実施形態の第１変形例によるＬＥＤモジュールの構成を示した回路図である。次に、図４０を参照して、第７実施形態の第１変形例によるＬＥＤモジュールについて説明する。
【０１５４】
第７実施形態の第１変形例によるＬＥＤモジュールでは、上記第１実施形態の第１変形例の構成において、第１ＬＥＤ群１０ａが、疑似白色ＬＥＤチップ１３０（青色ＬＥＤを使用して蛍光体で疑似白色光を発光可能にしたもの）と赤色光を発光する赤色ＬＥＤチップ１４０とを有するＬＥＤ発光装置２１０ａからなり、第２ＬＥＤ群２０ａが、疑似白色ＬＥＤチップ１３０のみを有し、赤色ＬＥＤチップ１４０を有さないＬＥＤ発光装置２２０ａからなる。すなわち、第７実施形態の第１変形例では、第１ＬＥＤ群１０ａが、赤色光と疑似白色光との混色光を発光するＬＥＤ発光装置２１０ａからなり、第２ＬＥＤ群２０ａが、疑似白色光を発光するＬＥＤ発光装置２２０ａからなる。
【０１５５】
第７実施形態による第１変形例では、上記のように構成することによって、視覚的に気にならない程度にまでフリッカが軽減された、高演色で高い光束を有する、電球色を発光可能なＬＥＤモジュールを得ることができる。また、第７実施形態の第１変形例では、上記第７実施形態と同様、位相制御式調光器を用いて調光した場合の演色の変化（赤色が強調されてしまう欠点）を改善することができる。
【０１５６】
［第７実施形態の第２変形例］
図４１は、第７実施形態の第２変形例によるＬＥＤモジュールの構成を示した回路図である。次に、図４１を参照して、第７実施形態の第２変形例によるＬＥＤモジュールについて説明する。
【０１５７】
この第７実施形態の第２変形例によるＬＥＤモジュールでは、上記第７実施形態の構成において、バイパス回路５（並列回路）と直列にスイッチ部６が接続されている。すなわち、バイパス回路５の抵抗３０と直列にスイッチ部６が接続されている。このスイッチ部６は、抵抗３０に流れる電流をオン／オフする機能を有する。
【０１５８】
スイッチ部６は、たとえば、第１ＬＥＤ群１０（ＬＥＤ発光装置２１０）に順電流ＩFが流れるまではオン状態、第１ＬＥＤ群１０（ＬＥＤ発光装置２１０）に順電流ＩFが流れるとオフ状態となるようにオン／オフ制御される。これにより、全点灯時に、抵抗３０に電流が流れるのを抑制することができるので、抵抗３０による発熱損失を低減することができる。
【０１５９】
［第７実施形態の第３変形例］
図４２は、第７実施形態の第３変形例によるＬＥＤモジュールの構成を示した回路図である。次に、図４２を参照して、第７実施形態の第３変形例によるＬＥＤモジュールについて説明する。
【０１６０】
この第７実施形態の第３変形例によるＬＥＤモジュールでは、上記第７実施形態の第１変形例の構成において、第１ＬＥＤ群１０ａ（ＬＥＤ発光装置２１０ａ）と並列にスイッチ部６が接続されている。具体的には、第３変形例では、第１ＬＥＤ群１０ａ（ＬＥＤ発光装置２１０ａ）と並列に、第２ＬＥＤ群２０ａおよび抵抗３０を含む並列回路が接続されており、この並列回路と直列に上記スイッチ部６が接続されている。このスイッチ部６は、上記第２変形例と同様、抵抗３０に流れる電流をオン／オフする機能を有する。
【０１６１】
スイッチ部６は、たとえば、第１ＬＥＤ群１０ａ（ＬＥＤ発光装置２１０ａ）が点灯するまではオン状態、第１ＬＥＤ群１０ａ（ＬＥＤ発光装置２１０ａ）が点灯した後はオフ状態となるようにオン／オフ制御される。これにより、第１ＬＥＤ群１０ａ（ＬＥＤ発光装置２１０ａ）の点灯時に、抵抗３０に電流が流れるのを抑制することができるので、抵抗３０による発熱損失を低減することができる。
【０１６２】
（第８実施形態）
図４３は、本発明の第８実施形態によるＬＥＤモジュールの構成を示した回路図である。図４４は、本発明の第８実施形態によるＬＥＤモジュールのＶ−Ｉ特性を示した図である。図４５は、本発明の第８実施形態によるＬＥＤモジュールの電流波形例を示した図である。次に、図４３〜図４５を参照して、本発明の第８実施形態によるＬＥＤモジュールについて説明する。なお、各図において、対応する構成要素には同一の符号を付すことにより、重複する説明は省略する。
【０１６３】
この第８実施形態によるＬＥＤモジュールは、図４３に示すように、上記第２実施形態の構成において、第１ＬＥＤ群１０が、疑似白色ＬＥＤチップ１３０（青色ＬＥＤを使用して蛍光体で疑似白色光を発光可能にしたもの）と赤色光を発光する赤色ＬＥＤチップ１４０とを有するＬＥＤ発光装置２１０からなり、第２ＬＥＤ群２０が、疑似白色ＬＥＤチップ１３０のみを有し、赤色ＬＥＤチップ１４０を有さないＬＥＤ発光装置２２０からなる。すなわち、第８実施形態では、上記第７実施形態と同様、第１ＬＥＤ群１０が、赤色光と疑似白色光との混色光を発光する高演色のＬＥＤ発光装置２１０からなり、第２ＬＥＤ群２０が、疑似白色光を発光するＬＥＤ発光装置２２０からなる。
【０１６４】
第８実施形態によるＬＥＤモジュールでは、ＡＣ電圧を全波整流した脈流電圧を印加すると、図４３〜図４５に示すように、まずはコンデンサ４０をバイパスした電流が第２ＬＥＤ群２０（ＬＥＤ発光装置２２０）を起動させる。そして、第２ＬＥＤ群２０（ＬＥＤ発光装置２２０）の順方向電圧ＶF（図４４のａ点）を超えた電圧で第２ＬＥＤ群２０（ＬＥＤ発光装置２２０）に電流が流れ始め、疑似白色光を発光するＬＥＤ発光装置２２０が点灯する。その後、ＬＥＤモジュールのアノード電圧が上昇して、印可電圧が第１ＬＥＤ群１０（ＬＥＤ発光装置２１０）の順方向電圧ＶF（図４４のｂ点）を超えると第１ＬＥＤ群１０（ＬＥＤ発光装置２１０）にも電流が流れ、全点灯のためのＬＥＤ電流が流れる。これにより、疑似白色光を発光するＬＥＤ発光装置２２０とともに、高演色のＬＥＤ発光装置２２０が点灯する。
【０１６５】
ＬＥＤモジュールのアノード電圧がピーク電圧に達した後、アノード電圧が降下して印可電圧が第１ＬＥＤ群１０（ＬＥＤ発光装置２１０）の順方向電圧ＶFを下回ると、第１ＬＥＤ群１０（ＬＥＤ発光装置２１０）が消灯し、その後、疑似白色光を発光する第２ＬＥＤ群２０（ＬＥＤ発光装置２２０）が消灯する。この際、コンデンサ４０の放電によりＬＥＤ電流が持続するため、ＬＥＤモジュールの点灯時間が長くなる。
【０１６６】
すなわち、第１ＬＥＤ群１０（ＬＥＤ発光装置２１０）と並列にコンデンサ４０を接続することによって、図４５に示すように、第２ＬＥＤ群２０（ＬＥＤ発光装置２２０）に順電流ＩFが流れ始める開始電圧が下げられて、第２ＬＥＤ群２０（ＬＥＤ発光装置２２０）の起動が早まる（図４５のＲ８部分）とともに、コンデンサ４０の放電によりＬＥＤ電流が持続する（図４５のＲ８部分）ため、不点灯時間Ｔをより短くすることが可能となる。これにより、フリッカをより効果的に軽減することができる。
【０１６７】
図４６は、本発明の第８実施形態によるＬＥＤモジュールを白熱電球用の位相制御式調光器で調光した場合の調光カーブを示した図である。なお、図４６には、疑似白色ＬＥＤの調光カーブＣが実線で示されており、高演色化のための赤色ＬＥＤの調光カーブＤが破線で示されている。
【０１６８】
図４６に示すように、ＬＥＤモジュールを白熱電球用の位相制御式調光器で調光した場合、第８実施形態においても、その調光範囲Ｌを広げることができ、調光ボリュームに対応した調光を滑らかにすることができる。
【０１６９】
また、第８実施形態では、上述したように、疑似白色光を発光する第２ＬＥＤ群２０（ＬＥＤ発光装置２２０）の順電流ＩFが流れ始める開始電圧を下げて、第２ＬＥＤ群２０（ＬＥＤ発光装置２２０）の起動を早めることができる。このため、調光器のボリューム０から順に上げていく場合、白が先に点灯しその後に赤が点灯する。また、ボリューム１００％から下げていく場合は赤が先に消灯しその後に白が消灯する。そのため、低照度に設定した際に、赤色光の割合を減らす（白色光の割合を増やす）ことができるので、赤色が強調されてしまうという不都合を解消することができる。
【０１７０】
（第９実施形態）
図４７は、本発明の第９実施形態によるＬＥＤモジュールの構成を示した回路図である。図４８は、本発明の第９実施形態によるＬＥＤモジュールのＶ−Ｉ特性を示した図である。図４９は、本発明の第９実施形態によるＬＥＤモジュールの電流波形例を示した図である。次に、図４７〜図４９を参照して、本発明の第９実施形態によるＬＥＤモジュールについて説明する。なお、各図において、対応する構成要素には同一の符号を付すことにより、重複する説明は省略する。
【０１７１】
この第９実施形態によるＬＥＤモジュールは、図４７に示すように、上記第３実施形態の構成において、第１ＬＥＤ群１０が、疑似白色ＬＥＤチップ１３０（青色ＬＥＤを使用して蛍光体で疑似白色光を発光可能にしたもの）と赤色光を発光する赤色ＬＥＤチップ１４０とを有するＬＥＤ発光装置２１０からなり、第２ＬＥＤ群２０が、疑似白色ＬＥＤチップ１３０のみを有し、赤色ＬＥＤチップ１４０を有さないＬＥＤ発光装置２２０からなる。すなわち、第９実施形態では、上記第７および第８実施形態と同様、第１ＬＥＤ群１０が、赤色光と疑似白色光との混色光を発光する高演色のＬＥＤ発光装置２１０からなり、第２ＬＥＤ群２０が、疑似白色光を発光するＬＥＤ発光装置２２０からなる。
【０１７２】
第９実施形態によるＬＥＤモジュールでは、ＡＣ電圧を全波整流した脈流電圧を印加すると、図４７〜図４９に示すように、まずは抵抗３０をバイパスした電流が第２ＬＥＤ群２０（ＬＥＤ発光装置２２０）を起動させる。そして、第２ＬＥＤ群２０（ＬＥＤ発光装置２２０）の順方向電圧ＶF（図４８のａ点）を超えた電圧で第２ＬＥＤ群２０（ＬＥＤ発光装置２２０）に電流が流れ始め、疑似白色光を発光するＬＥＤ発光装置２２０が点灯する。その後、ＬＥＤモジュールのアノード電圧が上昇して、印可電圧が第１ＬＥＤ群１０（ＬＥＤ発光装置２１０）の順方向電圧ＶF（図４８のｂ点）を超えると第１ＬＥＤ群１０（ＬＥＤ発光装置２１０）にも電流が流れ、全点灯のためのＬＥＤ電流が流れる。これにより、疑似白色光を発光するＬＥＤ発光装置２２０とともに、高演色のＬＥＤ発光装置２１０が点灯する。
【０１７３】
ＬＥＤモジュールのアノード電圧がピーク電圧に達した後、アノード電圧が降下して印可電圧が第１ＬＥＤ群１０（ＬＥＤ発光装置２１０）の順方向電圧ＶFを下回ると、第１ＬＥＤ群１０（ＬＥＤ発光装置２１０）が消灯し、その後、疑似白色光を発光する第２ＬＥＤ群２０（ＬＥＤ発光装置２２０）が消灯する。この際、コンデンサ４５の放電によりＬＥＤ電流が持続するため、ＬＥＤモジュールの点灯時間が長くなる。
【０１７４】
すなわち、第１ＬＥＤ群１０（ＬＥＤ発光装置２１０）と並列に抵抗３０を接続することによって、図４９に示すように、第２ＬＥＤ群２０（ＬＥＤ発光装置２２０）の順電流ＩFが流れ始める開始電圧が下げられて、第２ＬＥＤ群２０（ＬＥＤ発光装置２２０）の起動が早まる（図４９のＲ９部分）。また、第２ＬＥＤ群２０（ＬＥＤ発光装置２２０）と並列にコンデンサ４５を接続することによって、コンデンサ４５の放電によりＬＥＤ電流が持続する（図４９のＳ９部分）。このため、不点灯時間Ｔをさらに短くすることが可能となり、フリッカをさらに効果的に軽減することができる。
【０１７５】
図５０は、本発明の第９実施形態によるＬＥＤモジュールを白熱電球用の位相制御式調光器で調光した場合の調光カーブを示した図である。なお、図５０には、疑似白色ＬＥＤの調光カーブＣが実線で示されており、高演色化のための赤色ＬＥＤの調光カーブＤが破線で示されている。
【０１７６】
図５０に示すように、ＬＥＤモジュールを白熱電球用の位相制御式調光器で調光した場合、第９実施形態においても、その調光範囲Ｌを広げることができ、調光ボリュームに対応した調光を滑らかにすることができる。
【０１７７】
また、第９実施形態では、上述したように、疑似白色光を発光する第２ＬＥＤ群２０（ＬＥＤ発光装置２２０）の順電流ＩFが流れ始める開始電圧を下げて、第２ＬＥＤ群２０（ＬＥＤ発光装置２２０）の起動を早めることができる。このため、調光器のボリューム０から順に上げていく場合、白が先に点灯しその後に赤が点灯する。また、ボリューム１００％から下げていく場合は赤が先に消灯しその後に白が消灯する。そのため、低照度に設定した際に、赤色光の割合を減らす（白色光の割合を増やす）ことができるので、赤色が強調されてしまうという不都合を解消することができる。
【０１７８】
［第９実施形態の変形例］
図５１は、第９実施形態の変形例によるＬＥＤモジュールの構成を示した回路図である。次に、図５１を参照して、第９実施形態の変形例によるＬＥＤモジュールについて説明する。
【０１７９】
この第９実施形態の変形例によるＬＥＤモジュールでは、上記第９実施形態の構成において、抵抗３０と直列にスイッチ部６が接続されている。このスイッチ部６は、たとえば、第１ＬＥＤ群１０（ＬＥＤ発光装置２１０）に順電流ＩFが流れるまではオン状態、第１ＬＥＤ群１０（ＬＥＤ発光装置２１０）に順電流ＩFが流れるとオフ状態となるようにオン／オフ制御される。これにより、全点灯時に、抵抗３０に電流が流れるのを抑制することができるので、抵抗３０による発熱損失を低減することができる。
【０１８０】
（第１０実施形態）
図５２は、本発明の第１０実施形態によるＬＥＤモジュール（電球型ＬＥＤランプに用いるＬＥＤモジュール）の構成を示した平面図であり、図５３は、本発明の第１０実施形態によるＬＥＤモジュールの構成を示した回路図である。なお、図５２には、ＬＥＤモジュールにおけるＬＥＤ（ＬＥＤ発光装置）の配置例が示されている。次に、図５２および図５３を参照して、本発明の第１０実施形態によるＬＥＤモジュールについて説明する。
【０１８１】
この第１０実施形態によるＬＥＤモジュールは、電球型ＬＥＤランプに搭載されるＬＥＤモジュールであり、図５２に示すように、略円形状（略円盤状）の実装基板３００上に、複数の表面実装型ＬＥＤ（ＬＥＤ発光装置３１０および３２０）が実装された構成を有している。また、実装基板３００には、ＬＥＤモジュールに電力を供給するための端子３０１が形成されている。
【０１８２】
ＬＥＤ発光装置３１０および３２０は、それぞれ、上記第７〜第８実施形態で示したＬＥＤ発光装置と同様の発光装置が用いられており、ＬＥＤ発光装置３１０が、赤色光と疑似白色光との混色光を発光するとともに、ＬＥＤ発光装置３２０が、疑似白色光を発光する。すなわち、ＬＥＤ発光装置３１０が、高演色化のための赤色ＬＥＤチップ１４０を内蔵した構成となっており、ＬＥＤ発光装置３２０が、赤色ＬＥＤチップ１４０を内蔵しない構成となっている。
【０１８３】
また、第１０実施形態では、ＬＥＤ発光装置３１０および３２０をそれぞれ４台ずつ、合計８台のＬＥＤ発光装置を備えている。また、図５３に示すように、赤色光と疑似白色光との混色光を発光するＬＥＤ発光装置３１０と、疑似白色光を発光するＬＥＤ発光装置３２０とが直列接続されており、ＬＥＤ発光装置３１０とＬＥＤ発光装置３２０とが直列接続されたものが、４つ並列に接続されている。また、ＬＥＤ発光装置３１０には、並列に抵抗３０とダイオード５０とが接続されており、ＬＥＤ発光装置３２０には、コンデンサ４５が並列に接続されている。すなわち、上記した第９実施形態と同様の回路構成となっている。ただし、ＬＥＤ発光装置３１０およびＬＥＤ発光装置３２０は、２直列４並列に接続されている。
【０１８４】
なお、ＬＥＤ発光装置３１０および３２０の順方向電圧ＶFがたとえば約５０Ｖの場合、上記のように、２直列４並列の合計８台のＬＥＤ発光装置を用いてＡＣ１００Ｖ用のＬＥＤランプを作製することができる。
【０１８５】
ここで、第１０実施形態では、図５２に示すように、赤色ＬＥＤチップ１４０を内蔵した４台のＬＥＤ発光装置３１０（赤色光と疑似白色光との混色光を発光する高演色ＬＥＤ素子）が実装基板３００の内側（中央部）に配置されている。そして、このＬＥＤ発光装置３１０の外側に、疑似白色光を発光する４台のＬＥＤ発光装置３２０が配置されている。すなわち、電球型ＬＥＤランプを作製したときに、赤色ＬＥＤチップ１４０を内蔵したＬＥＤ発光装置３１０がＬＥＤランプの内部側に位置し、疑似白色光を発光するＬＥＤ発光装置３２０がＬＥＤランプのレンズ（カバー）側に位置するように、上記ＬＥＤモジュールが構成されている。
【０１８６】
このように構成された第１０実施形態によるＬＥＤモジュールでは、ＡＣライン電圧を全波整流した脈流電圧でＬＥＤモジュールを点灯させる場合、疑似白色光を発光するＬＥＤ発光装置３２０が時間的に先に点灯し、その後少し遅れて赤色ＬＥＤチップ１４０を内蔵した高演色のＬＥＤ発光装置３１０が順に点灯する。
【０１８７】
具体的には、ＡＣライン電圧の脈流電圧がオンされると、たとえば約３０Ｖの低電圧からＬＥＤモジュール（実装基板３００）の外側に配置した疑似白色光を発光するＬＥＤ発光装置３２０が点灯する。次に、たとえば約６０Ｖの電圧からＬＥＤモジュール（実装基板３００）の内側に配置した、赤色ＬＥＤチップ１４０を内蔵した高演色のＬＥＤ発光装置３１０が点灯する。アノード電圧がピーク電圧に達した後アノード電圧が降下し始めると、たとえば約６０Ｖの電圧からＬＥＤモジュール（実装基板３００）の内側に配置した高演色のＬＥＤ発光装置３１０が先に消灯する。そして、たとえば約３０Ｖの低電圧からＬＥＤモジュール（実装基板３００）の外側に配置した疑似白色光を発光するＬＥＤ発光装置３２０が消灯する。以上の動作が繰り返される。
【０１８８】
また、白熱電球用の位相制御式調光器で調光する場合、全点灯時は上記と同様の動作が繰り返され、ＬＥＤ発光装置３１０とＬＥＤ発光装置３２０とが同時に点灯して、演色性および光束の高い電球色が得られる。また、低照度に設定した場合には、たとえば約６０Ｖ以上では、ＬＥＤ発光装置３１０とＬＥＤ発光装置３２０とが点灯し、たとえば約６０Ｖ未満では、疑似白色光を発光するＬＥＤ発光装置３２０のみが点灯する。この場合、赤色ＬＥＤチップ１４０を内蔵したＬＥＤ発光装置３１０は消灯となる。
【０１８９】
第１０実施形態では、上記のように、赤色ＬＥＤチップ１４０を内蔵した４台のＬＥＤ発光装置３１０を実装基板３００の内側（中央部）に配置するとともに、このＬＥＤ発光装置３１０の外側に、疑似白色光を発光する４台のＬＥＤ発光装置３２０を配置し、かつ、中央部に配置したＬＥＤ発光装置３１０を、外側に配置した疑似白色光を発光するＬＥＤ発光装置３２０よりも先に消灯するように構成することによって、調光による特に低照度時に赤色が強調されるのをより効果的に解消することができる。
【０１９０】
すなわち、第１０実施形態によるＬＥＤモジュールを用いて電球型ＬＥＤランプを作製すれば、既設の白熱電球用の位相制御式調光器を用いて調光した際に、低照度に設定した場合でも、赤色が強調されて演色性が変化するという不都合が生じるのを抑制することができる。また、電球型ＬＥＤランプのレンズ（カバー）の外周に赤色が目立たないようにすることができる。
【０１９１】
なお、上記第１０実施形態において、コンデンサ４５およびダイオード５０を接続しない構成とすることもできる。すなわち、上記第７実施形態と同様の回路構成とすることもできる。また、抵抗３０に代えてコンデンサを接続することにより、上記第８実施形態と同様の回路構成とすることもできる。さらに、上記第７実施形態の変形例および第９実施形態の変形例と同様の回路構成とすることもできる。
【０１９２】
第１０実施形態のその他の効果は、上記第７〜第９実施形態と同様である。
【０１９３】
［第１０実施形態の第１変形例］
図５４は、第１０実施形態の第１変形例によるＬＥＤモジュール（電球型ＬＥＤランプに用いるＬＥＤモジュール）の構成を示した平面図であり、図５５は、第１０実施形態の第１変形例によるＬＥＤモジュールの構成を示した回路図である。図５４には、ＬＥＤモジュールにおけるＬＥＤ（ＬＥＤ発光装置）の他の配置例が示されている。次に、図５４および図５５を参照して、第１０実施形態の第１変形例によるＬＥＤモジュールについて説明する。なお、各図において、対応する構成要素には同一の符号を付すことにより、重複する説明は省略する。
【０１９４】
第１０実施形態の第１変形例では、図５４および図５５に示すように、赤色光と疑似白色光との混色光を発光するＬＥＤ発光装置３１０（赤色ＬＥＤチップ１４０を内蔵したＬＥＤ発光装置）および疑似白色光を発光するＬＥＤ発光装置３２０をそれぞれ３台ずつ、合計６台のＬＥＤ発光装置を備えている。そして、図５５に示すように、これらＬＥＤ発光装置３１０および３２０が、２直列３並列に接続されている。
【０１９５】
また、図５４に示すように、赤色ＬＥＤチップ１４０（図５５参照）を内蔵した３台のＬＥＤ発光装置３１０が実装基板３００の内側（中央部）に配置されており、このＬＥＤ発光装置３１０の外側に、疑似白色光を発光する３台のＬＥＤ発光装置３２０が配置されている。
【０１９６】
［第１０実施形態の第２変形例］
図５６は、第１０実施形態の第２変形例によるＬＥＤモジュール（電球型ＬＥＤランプに用いるＬＥＤモジュール）の構成を示した平面図であり、図５７は、第１０実施形態の第２変形例によるＬＥＤモジュールの構成を示した回路図である。図５６には、ＬＥＤモジュールにおけるＬＥＤ（ＬＥＤ発光装置）のさらに他の配置例が示されている。次に、図５６および図５７を参照して、第１０実施形態の第２変形例によるＬＥＤモジュールについて説明する。なお、各図において、対応する構成要素には同一の符号を付すことにより、重複する説明は省略する。
【０１９７】
第１０実施形態の第２変形例では、図５６および図５７に示すように、赤色光と疑似白色光との混色光を発光するＬＥＤ発光装置３１０（赤色ＬＥＤチップ１４０を内蔵したＬＥＤ発光装置）および疑似白色光を発光するＬＥＤ発光装置３２０をそれぞれ２台ずつ、合計４台のＬＥＤ発光装置を備えている。そして、図５７に示すように、これらＬＥＤ発光装置３１０および３２０が、２直列２並列に接続されている。
【０１９８】
また、図５６に示すように、赤色ＬＥＤチップ１４０（図５７参照）を内蔵した２台のＬＥＤ発光装置３１０が実装基板３００（３００ａ）の内側（中央部）に配置されており、このＬＥＤ発光装置３１０の外側に、疑似白色光を発光する２台のＬＥＤ発光装置３２０が配置されている。
【０１９９】
また、第１０実施形態の第２変形例では、上記第１０実施形態よりも小さいサイズの実装基板３００ａが用いられている。
【０２００】
なお、ＬＥＤモジュール（実装基板）を４０ｍｍφ以下とし、ＬＥＤモジュールを駆動する駆動回路（回路基板）を２０ｍｍ□以下とすれば、ハロゲンランプやミニクリプトン球の代替用途（口金サイズＥ−１７、Ｅ−１１）としてのＬＥＤランプを容易に作製することができる。この点については、上記第１０実施形態および第１０実施形態の第１変形例についても同様である。
【０２０１】
（第１１実施形態）
図５８は、本発明の第１１実施形態によるＬＥＤモジュールの構成を示した側面図である。次に、図３５および図５８を参照して、本発明の第１１実施形態によるＬＥＤモジュールについて説明する。
【０２０２】
この第１１実施形態によるＬＥＤモジュールでは、図５８に示すように、実装基板３００（３００ａ）の上面上にＬＥＤ４００が実装されている。このＬＥＤ４００は、たとえば、第１ＬＥＤ群としてのＬＥＤ発光装置２１０（図３５参照）および第２ＬＥＤ群としてのＬＥＤ発光装置２２０（図３５参照）を含んで構成されている。上記ＬＥＤ４００は、上記以外のＬＥＤ発光装置を含んで構成されていてもよいし、ＬＥＤチップから構成されていてもよい。
【０２０３】
また、実装基板３００の下面上（ＬＥＤ４００の実装面とは反対側の面）に、抵抗３０、コンデンサ４０（４５）、ダイオード５０が実装されている。なお、第１実施形態と同様の回路構成とする場合には、抵抗３０を実装すればよく、第２実施形態と同様の回路構成とする場合には、コンデンサ４０とダイオード５０とを実装すればよい。
【０２０４】
第１１実施形態では、上記のように、実装基板３００の下面上に抵抗３０、コンデンサ４０（４５）およびダイオード５０などの電子部品を実装することによって、これら電子部品がＬＥＤ４００の実装面と同じ面上に実装されている場合とは異なり、ＬＥＤ４００からの光の光路が上記電子部品で妨げられることがない。このため、ＬＥＤ４００からの光を均一に取り出すことができる。
【０２０５】
なお、実装基板３００上に実装されるＬＥＤ４００の組み合わせとして、たとえば、以下の表１に示すような組み合わせ例を採用することができる。なお、表１中の（  ）内の数字は、ＬＥＤ発光装置の数（（赤色光と疑似白色光との混色光を発光するＬＥＤ発光装置の数）＋（白色光を発光するＬＥＤ発光装置の数））を示している。
【０２０６】
【表１】
2011204437.tif 000003
【０２０７】
（第１２実施形態）
図５９は、本発明の第１２実施形態によるＬＥＤ照明装置の構成を示した回路図である。なお、図５９には、ＡＣ電圧（交番電圧）の両波を用いるＬＥＤ点灯電源に使用する場合のＬＥＤモジュールの接続例が示されている。次に、図５９を参照して、本発明の第１２実施形態によるＬＥＤ照明装置５００について説明する。なお、図５９において、対応する構成要素には同一の符号を付すことにより、重複する説明は省略する。
【０２０８】
この第１２実施形態によるＬＥＤ照明装置５００では、図５９に示すように、順方向が逆方向となるように逆並列接続されたＬＥＤモジュール５１０を備えている。このＬＥＤモジュール５１０には、上述した第１〜第１１実施形態（変形例を含む）によるＬＥＤモジュールが用いられる。
【０２０９】
また、第１２実施形態によるＬＥＤ照明装置５００は、ＬＥＤモジュール５１０を駆動する駆動回路５２０を備えている。また、既設の白熱電球用の調光器１０６０（位相制御式調光器）が設置されている場合、この調光器１０６０を用いて調光することも可能である。この場合、上記駆動回路５２０は、既設の調光器対応の調光機能を有しているのが好ましい。
【０２１０】
なお、ＬＥＤ照明装置５００は、上記駆動回路５２０が設けられない構成であってもよい。また、駆動回路をＬＥＤ照明装置５００とは別の部分に設けることもできる。
【０２１１】
（第１３実施形態）
図６０は、本発明の第１３実施形態によるＬＥＤ照明装置の構成を示した図である。図６０では、電球型に構成したＬＥＤ照明装置を部分切欠図で示している。次に、図６０を参照して、本発明の第１３実施形態によるＬＥＤ照明装置６００について説明する。
【０２１２】
この第１３実施形態によるＬＥＤ照明装置６００は、図６０に示すように、電球型のＬＥＤランプに構成されており、筐体または基板と、筐体または基板の正面側（電球型の頭部側）に設置されるＬＥＤモジュール６１０と、筐体または基板の背面側（電球型の下部側）に設置される駆動回路６２０（５２０）とを内部に備えている。
【０２１３】
上記ＬＥＤモジュール６１０には、上述した第１〜第１１実施形態（変形例を含む）によるＬＥＤモジュールが用いられる。また、第１２実施形態で示したように、ＬＥＤモジュールを逆並列接続された構成を用いることもできる。
【０２１４】
（第１４実施形態）
図６１は、本発明の第１４実施形態によるＬＥＤ照明システムの構成を示した図である。次に、図６１を参照して、本発明の第１４実施形態によるＬＥＤシステム７００について説明する。
【０２１５】
この第１４実施形態によるＬＥＤ照明システム７００は、図６１に示すように、第１３実施形態で示したＬＥＤ照明装置６００と、ＬＥＤ照明装置６００がねじ込まれて装着されるＬＥＤ照明装置装着部７１０と、ライトコントロール器（位相制御式調光器）７２０とが、交流電源８００に直列に接続されている。なお、ＬＥＤ照明装置６００とＬＥＤ照明装置装着部７１０とによって、ＬＥＤ照明機器（シーリングライト、ペンダントライト、キッチンライト、ダウンライト、スタンドライト、スポットライト、フットライトなど）が構成される。
【０２１６】
ＬＥＤ照明装置装着部７１０は、たとえば、室内の天井壁面に配設され、ライトコントロール器７２０は、たとえば、室内の側方壁面に配設される。
【０２１７】
ＬＥＤ照明装置６００は、ＬＥＤ照明装置装着部７１０に対して着脱自在であるため、たとえば、従来は白熱灯、蛍光灯などの照明器具を用いていた既存の照明機器および照明システムにおいて、白熱灯、蛍光灯などの照明器具を上記ＬＥＤ照明装置６００に交換するだけで、ＬＥＤのフリッカを軽減することができる。また、ＬＥＤ照明装置６００（ＬＥＤモジュール）を電球色とした場合に、低照度に設定した際に、赤色が強調されるという不都合が生じるのを抑制することができる。
【０２１８】
図６１では、ライトコントロール器７２０が位相制御式調光器である場合のライトコントロール器７２０の外観を示しており、つまみ式ボリュームにより調光の度合いを変更できるようにしている。つまみ式に代えてスライド式ボリュームにより調光の度合いを変更できるようにしてもよい。
【０２１９】
なお、今回開示された実施形態および変形例は、すべての点で例示であって制限的なものではないと考えられるべきである。本発明の範囲は、上記した実施形態および変形例の説明ではなく特許請求の範囲によって示され、さらに特許請求の範囲と均等の意味および範囲内でのすべての変更が含まれる。
【０２２０】
たとえば、上記第１〜第１４実施形態（変形例を含む）では、ＬＥＤモジュールの前段のＬＥＤを複数のＬＥＤ群（第１ＬＥＤ群）から構成するとともに、後段のＬＥＤも同じく複数のＬＥＤ群（第２ＬＥＤ群）から構成した例を示したが、本発明はこれに限らず、前段のＬＥＤおよび後段のＬＥＤの少なくとも一方を、１つのＬＥＤ（ＬＥＤ素子）から構成してもよい。
【０２２１】
なお、上記第１〜第１４実施形態（変形例を含む）において、ＬＥＤモジュールにコンデンサを接続する場合、電解コンデンサ以外のコンデンサ（たとえば、フィルムコンデンサやセラミックコンデンサ）を用いるのが好ましいが、上記コンデンサに電解コンデンサを用いることも当然にできる。ただし、電解コンデンサを用いた場合、長寿命というＬＥＤのメリットが損なわれるおそれがあるため、上記のように、フィルムコンデンサやセラミックコンデンサを用いるのが好ましい。
【０２２２】
また、上記第１〜第１４実施形態（変形例を含む）において、ＬＥＤモジュールを構成するＬＥＤに、樹脂封止されたＬＥＤ発光装置を用いる場合、用いるＬＥＤ発光装置に応じて、ＬＥＤ発光装置の実装数を適宜変更することができる。
【０２２３】
さらに、本発明のＬＥＤモジュールは、交番電圧を入力して第１ＬＥＤ（第１ＬＥＤ群）および第２ＬＥＤ（第２ＬＥＤ群）を駆動するＬＥＤモジュールであって、交番電圧に対し、第２ＬＥＤを第１ＬＥＤよりも先に駆動させ、かつ、後に消灯させるように構成されていれば、上記実施形態で示した回路構成以外の構成であってもよい。また、調光時には、交番電圧に対し、第１ＬＥＤおよび第２ＬＥＤを同時に点灯させ、第２ＬＥＤを第１ＬＥＤよりも後に消灯させるように構成されていればよく、その回路構成は、上記実施形態で示した構成以外の構成であってもよい。
【０２２４】
また、上記第４〜第１４実施形態（変形例を含む）では、ＬＥＤ集合チップ（ＬＥＤアレイチップ）が搭載されたＬＥＤ発光装置を用いた例について示したが、本発明はこれに限らず、ＬＥＤ集合チップ（ＬＥＤアレイチップ）以外のＬＥＤチップが搭載されたＬＥＤ発光装置を用いてもよい。また、ＬＥＤ発光装置以外のたとえばＬＥＤチップが直接実装された構成であってもよい。
【０２２５】
また、上記第４〜第１４実施形態（変形例を含む）では、赤色ＬＥＤチップと疑似白色ＬＥＤチップとが混成されたＬＥＤ発光装置を用いた例を示したが、本発明はこれに限らず、赤色ＬＥＤチップおよび疑似白色ＬＥＤチップが別々に搭載された複数のＬＥＤ発光装置を用いるようにしてもよい。たとえば、赤色ＬＥＤチップが搭載された赤色ＬＥＤ発光装置と疑似白色光を発光する疑似白色ＬＥＤ発光装置とを用いるようにしてもよい。
【０２２６】
また、上記第４〜第１４実施形態（変形例を含む）では、電球色を発光可能なＬＥＤモジュール等について説明したが、本発明はこれに限らず、電球色以外の色の光を発光可能に構成することもできる。たとえば、昼光色などを発光可能に構成することもできる。また、たとえば、イルミネーションなどに用いる場合には、青色や緑色など種々の色の光を発光可能に構成することもできる。さらに、種々の色の光を発光するＬＥＤを適宜組み合わせることにより、多色化を図ることができる。加えて、フリッカが低減された演色性の高いＬＥＤモジュールやＬＥＤ照明装置等を得ることができる。
【０２２７】
また、上記第７〜第１４実施形態（変形例を含む）では、ＬＥＤモジュールを構成するＬＥＤに、疑似白色光を発光するＬＥＤ発光装置を用いた例を示したが、本発明はこれに限らず、たとえば、上記ＬＥＤ発光装置に代えて、光の３原色であるＲ（赤）、Ｇ（緑）、Ｂ（青）の光を発光する各ＬＥＤチップを内蔵し、同時に発光することによって白色光を発光する白色ＬＥＤ（発光装置）を用いてもよい。
【０２２８】
また、上記第１１実施形態では、ＬＥＤが実装される実装基板の裏面側に（ＬＥＤが実装される基板と同一の基板に）、抵抗、コンデンサ、ダイオードなどの電子部品を実装した例を示したが、これらの電子部品は、ＬＥＤが実装される実装基板とは別の基板に実装されてもよい。
【０２２９】
また、上記第１３および第１４実施形態では、ＬＥＤ照明装置の一例である電球型ＬＥＤランプに本発明を適用した例を示したが、本発明はこれに限らず、たとえば、電灯形のＬＥＤ照明装置（照明灯具）、環形のＬＥＤ照明装置（照明灯具）、または直管形のＬＥＤ照明装置（照明灯具）に本発明を適用してもよい。
【０２３０】
また、上記第１４実施形態では、ライトコントロール器としてつまみ式ボリュームやスライド式ボリュームにより人が直接操作するものを挙げたが、本発明はこれに限らず、リモコン等の無線信号により人が遠隔操作するものであってもよい。すなわち、受信側であるライトコントロール器本体に無線信号受信部を設け、送信側である送信機本体（たとえば、リモコン送信機、携帯端末等）に上記無線信号受信部へライトコントロール信号（たとえば、調光信号、ライトＯＮ／ＯＦＦ信号等）を送信する無線信号送信部を設ける構成であってもよい。これにより、遠隔操作を行うことが可能となる。
【符号の説明】
【０２３１】
５                                      バイパス回路
６                                      スイッチ部
１０、１０ａ                            第１ＬＥＤ群（第１ＬＥＤ）
２０、２０ａ                            第２ＬＥＤ群（第２ＬＥＤ）
３０                                    抵抗
４０、４５                              コンデンサ
５０                                    ダイオード
１１０、１１０ａ、１２０、１２０ａ、
２１０、２１０ａ、２２０、２２０ａ、
３１０、３２０                          ＬＥＤ発光装置
１３０                                  疑似白色ＬＥＤチップ（白色ＬＥＤ素子）
１４０                                  赤色ＬＥＤチップ（赤色ＬＥＤ素子）
１５０、２５０                          ＬＥＤ集合チップ
３００、３００ａ                        実装基板
３０１                                  端子
４００                                  ＬＥＤ
５００、６００                          ＬＥＤ照明装置（ＬＥＤランプ）
５１０、６１０                          ＬＥＤモジュール
５２０、６２０                          駆動回路
７００                                  ＬＥＤ照明システム
７１０                                  ＬＥＤ照明装置装着部
７２０                                  ライトコントロール器
８００                                  交流電源
【図１】
2011204437.tif 000004
【図２】
2011204437.tif 000005
【図３】
2011204437.tif 000006
【図４】
2011204437.tif 000007
【図５】
2011204437.tif 000008
【図６】
2011204437.tif 000009
【図７】
2011204437.tif 000010
【図８】
2011204437.tif 000011
【図９】
2011204437.tif 000012
【図１０】
2011204437.tif 000013
【図１１】
2011204437.tif 000014
【図１２】
2011204437.tif 000015
【図１３】
2011204437.tif 000016
【図１４】
2011204437.tif 000017
【図１５】
2011204437.tif 000018
【図１６】
2011204437.tif 000019
【図１７】
2011204437.tif 000020
【図１８】
2011204437.tif 000021
【図１９】
2011204437.tif 000022
【図２０】
2011204437.tif 000023
【図２１】
2011204437.tif 000024
【図２２】
2011204437.tif 000025
【図２３】
2011204437.tif 000026
【図２４】
2011204437.tif 000027
【図２５】
2011204437.tif 000028
【図２６】
2011204437.tif 000029
【図２７】
2011204437.tif 000030
【図２８】
2011204437.tif 000031
【図２９】
2011204437.tif 000032
【図３０】
2011204437.tif 000033
【図３１】
2011204437.tif 000034
【図３２】
2011204437.tif 000035
【図３３】
2011204437.tif 000036
【図３４】
2011204437.tif 000037
【図３５】
2011204437.tif 000038
【図３６】
2011204437.tif 000039
【図３７】
2011204437.tif 000040
【図３８】
2011204437.tif 000041
【図３９】
2011204437.tif 000042
【図４０】
2011204437.tif 000043
【図４１】
2011204437.tif 000044
【図４２】
2011204437.tif 000045
【図４３】
2011204437.tif 000046
【図４４】
2011204437.tif 000047
【図４５】
2011204437.tif 000048
【図４６】
2011204437.tif 000049
【図４７】
2011204437.tif 000050
【図４８】
2011204437.tif 000051
【図４９】
2011204437.tif 000052
【図５０】
2011204437.tif 000053
【図５１】
2011204437.tif 000054
【図５２】
2011204437.tif 000055
【図５３】
2011204437.tif 000056
【図５４】
2011204437.tif 000057
【図５５】
2011204437.tif 000058
【図５６】
2011204437.tif 000059
【図５７】
2011204437.tif 000060
【図５８】
2011204437.tif 000061
【図５９】
2011204437.tif 000062
【図６０】
2011204437.tif 000063
【図６１】
2011204437.tif 000064
【図６２】
2011204437.tif 000065
【図６３】
2011204437.tif 000066